(57)【要約】【課題】マシンタイプ通信（ＭＴＣ）デバイスをトリガして同期させるための方法および装置が記載される。【解決手段】ＭＴＣデバイスは時間制御モードで動作することができ、この場合、ＭＴＣデバイスは、指定されたインターバルでネットワークにアタッチして、ネットワークに報告する。時間制御モードは、２つの時間制御周期、すなわち報告周期および制御周期を含み得る。また、ＭＴＣデバイスと、ネットワークまたはＭＴＣサーバとの間で、報告周期および制御周期を通信する方法についても述べる。これらの周期は、アプリケーションレイヤ上で、ＭＴＣｓｐインタフェースを使用してまたはＭＴＣ構成を介してＭＴＣサーバによって、通信することができる。加えて、トリガ周期は、間欠受信（ＤＲＸ）周期を拡張することによって、または新しいシステム情報ブロック（ＳＩＢ）情報を定義することによりネットワークがブロードキャストチャネル上で周期を送信できるようにすることによって、非アクセス層（ＮＡＳ）レイヤを介して送信することができる。【選択図】図３
2015164359.tif 000002
【特許請求の範囲】
【請求項１】
マシンタイプ通信（ＭＴＣ）ワイヤレス送受信ユニット（ＷＴＲＵ）をページングする方法であって、
前記ＭＴＣ  ＷＴＲＵによって、拡張された間欠受信（ＤＲＸ）周期に関連付けられた制御期間構成情報を示すメッセージを受信するステップと、
前記ＭＴＣ  ＷＴＲＵによって、制御期間中に、ページングチャネルを監視するステップと、
前記制御期間中にページングメッセージを受信することに応答して、前記ＭＴＣ  ＷＴＲＵが、ＭＴＣサーバと接続し、および、前記ＭＴＣサーバへデータを送信するステップと
を含むことを特徴とする方法。
【請求項２】
前記メッセージは、モビリティ管理エンティティ（ＭＭＥ）から受信されることを特徴とする請求項１に記載の方法。
【請求項３】
前記ＭＭＥは、前記ＭＴＣ  ＷＴＲＵの前記制御期間および拡張されたＤＲＸ周期を認識していることを特徴とする請求項２に記載の方法。
【請求項４】
前記メッセージは、非アクセス層（ＮＡＳ）メッセージであることを特徴とする請求項１に記載の方法。
【請求項５】
前記ＭＴＣサーバは、前記ＭＴＣ  ＷＴＲＵの前記制御期間および拡張されたＤＲＸ周期を認識していることを特徴とする請求項１に記載の方法。
【請求項６】
前記ＭＴＣ  ＷＴＲＵが、前記ＭＴＣサーバへデータを送信した後または前記制御期間後、アイドル／オフラインモードへ入るステップをさらに含むことを特徴とする請求項１に記載の方法。
【請求項７】
前記ＭＴＣ  ＷＴＲＵは、パケットデータネットワーク（ＰＤＮ）接続を介して、前記ＭＴＣサーバと接続することを特徴とする請求項１に記載の方法。
【請求項８】
前記ＭＴＣサーバから要求があると、モビリティ管理エンティティ（ＭＭＥ）は、前記ＭＴＣ  ＷＴＲＵへ前記ページングメッセージを送信することを特徴とする請求項１に記載の方法。
【請求項９】
前記要求は、前記ＭＴＣサーバから前記ＭＭＥへ、デバイストリガゲートウェイを介して送信されることを特徴とする請求項８に記載の方法。
【請求項１０】
前記ＭＴＣ  ＷＴＲＵによって、拡張されたＤＲＸ情報を送信するステップをさらに含むことを特徴とする請求項１に記載の方法。
【請求項１１】
前記拡張されたＤＲＸ情報は、トラッキング／ルーティングエリア更新メッセージまたはアタッチ／デタッチ要求メッセージのうちの少なくとも１つで送信されることを特徴とする請求項１０に記載の方法。
【請求項１２】
前記ＭＴＣ  ＷＴＲＵによって、更新された制御期間構成情報を含むメッセージを受信するステップをさらに含むことを特徴とする請求項１に記載の方法。
【請求項１３】
前記更新された制御期間構成情報は、アタッチ受諾／拒否メッセージ、デタッチ受諾／拒否メッセージ、または、トラッキングエリア更新／ルーティングエリア更新受諾／拒否メッセージのうちの少なくとも１つで受信されることを特徴とする請求項１２に記載の方法。
【請求項１４】
前記更新された制御期間構成情報は、サービング汎用パケット無線サービスサポートノード（ＳＧＳＮ）、モビリティ管理エンティティ（ＭＭＥ）、または、前記ＭＴＣサーバのうちの少なくとも１つから受信されることを特徴とする請求項１２に記載の方法。
【請求項１５】
マシンタイプ通信（ＭＴＣ）ワイヤレス送受信ユニット（ＷＴＲＵ）であって、
拡張された間欠受信（ＤＲＸ）周期に関連付けられた制御期間構成情報を示すメッセージを受信するように構成された回路と、
制御期間中に、ページングチャネルを監視するように構成された回路と、
前記制御期間中にページングメッセージを受信することに応答して、ＭＴＣサーバと接続し、および、前記ＭＴＣサーバへデータを送信するように構成された回路と
を備えたことを特徴とするＭＴＣ  ＷＴＲＵ。
【請求項１６】
前記メッセージは、モビリティ管理エンティティ（ＭＭＥ）から受信されることを特徴とする請求項１５に記載のＭＴＣ  ＷＴＲＵ。
【請求項１７】
前記ＭＭＥは、前記ＭＴＣ  ＷＴＲＵの前記制御期間および拡張されたＤＲＸ周期を認識していることを特徴とする請求項１６に記載のＭＴＣ  ＷＴＲＵ。
【請求項１８】
前記メッセージは、非アクセス層（ＮＡＳ）メッセージであることを特徴とする請求項１５に記載のＭＴＣ  ＷＴＲＵ。
【請求項１９】
前記ＭＴＣサーバは、前記ＭＴＣ  ＷＴＲＵの前記制御期間および拡張されたＤＲＸ周期を認識していることを特徴とする請求項１５に記載のＭＴＣ  ＷＴＲＵ。
【請求項２０】
前記ＭＴＣ  ＷＴＲＵは、前記ＭＴＣ  ＷＴＲＵが前記ＭＴＣサーバへデータを送信した後または前記制御期間後、アイドル／オフラインモードへ入るように構成されることを特徴とする請求項１５に記載のＭＴＣ  ＷＴＲＵ。
【発明の詳細な説明】
【技術分野】
【０００１】
本出願は、ワイヤレス通信に関する。
【背景技術】
【０００２】
本出願は、参照により本明細書にその内容が組み込まれる、２０１１年４月１日に出願された米国特許仮出願第６１／４７０，９５６号明細書の利益を主張するものである。
【０００３】
ワイヤレス送受信ユニット（ＷＴＲＵ）などの通信デバイスは、通信システムを介してリモートデバイスと通信することができる。ＷＴＲＵは、マシンツーマシン（Ｍ２Ｍ）またはマシンタイプ通信（ＭＴＣ）を実施するように構成されてよく、これらは、人間の対話なしに実施できる通信である。場合によっては、ＭＴＣ  ＷＴＲＵをトリガしてネットワークとの通信を可能にする必要がある。
【発明の概要】
【０００４】
本明細書では、マシンタイプ通信（ＭＴＣ）ワイヤレス送受信ユニット（ＷＴＲＵ）（ＭＴＣ  ＷＴＲＵ）をトリガして同期させるための方法および装置について述べる。ＭＴＣ  ＷＴＲＵは、時間制御モードで動作することができ、この場合、ＭＴＣ  ＷＴＲＵは、特定されたインターバルでネットワークにアタッチして、ネットワークに報告する。時間制御モードは、２つの時間制御周期、すなわち報告周期（デバイスは例えば１か月に１度アタッチしてネットワークにデータを提供する）および制御周期（デバイスは例えば１日に１度アタッチしてネットワークから更新を受信する）を含み得る。また、ＭＴＣ  ＷＴＲＵと、ネットワークまたはＭＴＣサーバとの間で、報告周期および制御周期を通信する方法も記載されている。これらの周期は、アプリケーションレイヤ上で、ＭＴＣｓｐインタフェースを使用してまたはＭＴＣ  ＷＴＲＵ構成を介してＭＴＣサーバによって、通信されてよい。加えて、報告周期および制御周期はトリガ周期と呼ぶこともできるが、これらの周期は、間欠受信（ＤＲＸ、ｄｉｓｃｏｎｔｉｎｕｏｕｓ  ｒｅｃｅｐｔｉｏｎ）周期を拡張することによって、または新しいシステム情報ブロック（ＳＩＢ、Ｓｙｓｔｅｍ  ｉｎｆｏｒｍａｔｉｏｎ  ｂｌｏｃｋ）情報を定義することによりネットワークがブロードキャストチャネルを介して周期を送信できるようにすることによって、非アクセス層（ＮＡＳ、Ｎｏｎ−Ａｃｃｅｓｓ−Ｓｔｒａｔｕｍ）レイヤを介して送信されてよい。
【０００５】
ＭＴＣ  ＷＴＲＵは、アイドル／オフラインモードに入る前に、少なくとも１つの制御期間および少なくとも１つの報告期間を示す情報を得ることができる。ＭＴＣ  ＷＴＲＵは、制御期間中に、ページングチャネル上とブロードキャストチャネル上のいずれかにトリガ情報があるかどうか監視することができる。ＭＴＣ  ＷＴＲＵは、報告期間中にＭＴＣサーバとの通信を確立して、位置情報やアプリケーション関連情報（例えば電力計測情報）などの情報を報告することができる。ページングチャネルを使用してＭＴＣ  ＷＴＲＵがトリガされるという条件で、ＭＴＣ  ＷＴＲＵは、制御期間が間欠受信（ＤＲＸ）周期と同じであるように構成されてよい。ブロードキャストチャネルを使用してＭＴＣ  ＷＴＲＵがトリガされるという条件で、ＭＴＣ  ＷＴＲＵは、制御期間中にウェイクアップして、トリガ情報があるかどうかブロードキャストチャネルを監視することができる。
【０００６】
ページングチャネルを（最適化された間欠受信（ＤＲＸ）タイミングを介して）、またはブロードキャストチャネルを（新しいブロードキャストチャネル情報に基づいて）使用して、ＭＴＣ  ＷＴＲＵをトリガすることができる。しかし、いくつかの解決法は、ＭＴＣ  ＷＴＲＵとＭＴＣアーキテクチャとの間の同期を維持しながら、このようなトリガを提供することができる。
【図面の簡単な説明】
【０００７】
添付の図面と共に例として提供する後続の記述から、より詳細な理解を得ることができる。
【図１】マシンタイプ（ＭＴＣ）ワイヤレス送受信ユニット（ＷＴＲＵ）（ＭＴＣ  ＷＴＲＵ）のトリガに使用される従来のマシンタイプ通信（ＭＴＣ）アーキテクチャを示す。
【図２Ａ】１つまたは複数の開示される実施形態を実現できる例示的な通信システムを示す。
【図２Ｂ】図２Ａに示される通信システム内で使用できる例示的なＷＴＲＵを示す。
【図２Ｃ】図２Ａに示される通信システム内で使用できる例示的な無線アクセスネットワークおよび例示的なコアネットワーク（ＣＮ）を示す。
【図３】Ｅ−ＵＴＲＡＮ（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）のケースでＭＴＣサーバが制御／報告期間を提供する、ＭＴＣアーキテクチャ内での例示的な信号フローを示す。
【図４】ＵＴＲＡＮ（ｕｎｉｖｅｒｓａｌ  ｔｅｒｒｅｓｔｒｉａｌ  ｒａｄｉｏ  ａｃｃｅｓｓ  ｎｅｔｗｏｒｋ）／ＧＥＲＡＮ（ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ（登録商標））／ｅｎｈａｎｃｅｄ  ｄａｔａ  ｒａｔｅｓ  ｆｏｒ  ＧＳＭ  ｅｖｏｌｕｔｉｏｎ  ｒａｄｉｏ  ａｃｃｅｓｓ  ｎｅｔｗｏｒｋ）のケースでＭＴＣサーバが制御／報告期間を提供する、ＭＴＣアーキテクチャ内での例示的な信号フローを示す。
【図５】Ｅ−ＵＴＲＡＮのケースでＭＴＣ  ＷＴＲＵがＭＴＣサーバにアタッチしてデータを報告する、ＭＴＣアーキテクチャ内での例示的な信号フローを示す。
【図６】ＵＴＲＡＮのケースでＭＴＣ  ＷＴＲＵがＭＴＣサーバにアタッチしてデータを報告する、ＭＴＣアーキテクチャ内での例示的な信号フローを示す。
【図７】ＭＴＣ  ＷＴＲＵが新しい位置エリアを検出する、ＭＴＣアーキテクチャ内での例示的な信号フローを示す。
【図８】Ｅ−ＵＴＲＡＮのケースでＭＴＣサーバが制御／報告インターバルをＭＴＣｓｐインタフェース内で提供する、ＭＴＣアーキテクチャ内での例示的な信号フローを示す。
【図９】ＵＴＲＡＮのケースでＭＴＣサーバが制御／報告インターバルをＭＴＣｓｐインタフェース内で提供する、ＭＴＣアーキテクチャ内での例示的な信号フローを示す。
【図１０】ＭＴＣ  ＷＴＲＵが新しい位置エリアを検出する、ＭＴＣアーキテクチャ内での例示的な信号フローを示す。
【図１１】Ｅ−ＵＴＲＡＮのケースでＭＴＣ  ＷＴＲＵがＵ（ｕｎｉｖｅｒｓａｌ）ＳＩＭ（ｓｕｂｓｃｒｉｂｅｒ  ｉｄｅｎｔｉｔｙ  ｍｏｄｕｌｅ）ＯＴＡ（ｏｖｅｒ−ｔｈｅ−ａｉｒ）またはＯＭＡ（Ｏｐｅｎ  Ｍｏｂｉｌｅ  Ａｌｌｉａｎｃｅ）ＤＭ（Ｄｅｖｉｃｅ  Ｍａｎａｇｅｍｅｎｔ）を介して制御報告期間で構成される、ＭＴＣアーキテクチャ内での例示的な信号フローを示す。
【図１２】ＵＴＲＡＮのケースでＭＴＣ  ＷＴＲＵが（Ｕ）ＳＩＭ  ＯＴＡまたはＯＭＡ  ＤＭを介して制御報告期間で構成される、ＭＴＣアーキテクチャ内での例示的な信号フローを示す。
【図１３】Ｅ−ＵＴＲＡＮのケースでＭＴＣ  ＷＴＲＵが第３世代パートナーシッププロジェクト（３ＧＰＰ）コアネットワーク（ＣＮ）によって構成される、例示的なＭＴＣアーキテクチャを示す。
【図１４】ＵＴＲＡＮのケースでＭＴＣ  ＷＴＲＵが３ＧＰＰ  ＣＮによって構成される、例示的なＭＴＣアーキテクチャを示す。
【発明を実施するための形態】
【０００８】
図１に、パケットデータネットワーク（ＰＤＮ）２５中のＭＴＣサーバ２０と、デバイストリガゲートウェイ（ＤＴ−ＧＷ）３０との間でＭＴＣｓｐインタフェース１５を使用することのできる、従来のマシンタイプ通信（ＭＴＣ）アーキテクチャ１０を示す。ＭＴＣｓｐインタフェース１５を使用して、ＭＴＣサーバ２０からＤＴ−ＧＷ３０にトリガメッセージを提供することができる。ＤＴ−ＧＷ３０は、トリガメッセージを再フォーマットして、ゲートウェイ汎用パケット無線サービス（ＧＰＲＳ）サポートノード（ＧＧＳＮ）／パケットゲートウェイ（ＰＧＷ）４０、セルブロードキャストセンタ（ＣＢＣ）４５、ショートメッセージサービス−サービスセンタ（ＳＭＳ−ＳＣ）５０、およびサービングコールセッション制御機能（Ｓ−ＣＳＣＦ）５５に転送することができる。ＭＴＣアーキテクチャ１０はさらに、ホームロケーションレジスタ（ＨＬＲ）／ホーム加入者サーバ（ＨＳＳ）６０、およびサービング汎用パケット無線サービス（ＧＰＲＳ）サポートノード（ＳＧＳＮ）／モビリティ管理エンティティ（ＭＭＥ）６５、およびＭＴＣ  ＷＴＲＵ７０も含んでよい。
【０００９】
ＤＴ−ＧＷ３０は、ＨＬＲ／ＨＳＳ６０から得られた到達可能性情報と、ＧＧＳＮ／ＰＧＷ４０から得られたｒａｄｉｕｓ／ｄｉａｍｅｔｅｒインタフェースと、モバイルネットワークオペレータ（ＭＮＯ）によって構成されたポリシ情報とを使用して、トリガ指示をＭＴＣ  ＷＴＲＵ７０に転送するのに使用するための最も効率的かつ効果的なサービスおよびルートを決定することができる。前述のように、ＤＴ−ＧＷ３０は、トリガ指示を再フォーマットして、１）すでに確立されたパケットデータプロトコル（ＰＤＰ）コンテキスト／パケットデータネットワーク（ＰＤＮ）接続を介して送達されるようにＧＧＳＮ／ＰＧＷ４０に転送すること、２）新たに確立されたＰＤＰコンテキストを介して送達されるようにＧＧＳＮ／ＰＧＷ４０のＧＧＳＮに転送すること（ＤＴ−ＧＷ３０によって開始された、ネットワークから要求されるＰＤＰコンテキストアクティブ化プロシージャを介して）、３）セッション開始プロトコル（ＳＩＰ）／インターネットプロトコル（ＩＰ）マルチメディアサブシステム（ＩＭＳ）サービスを介して送達されるようにＳ−ＣＳＣＦ５５に転送すること、４）ＳＭＳを介して送達されるようにＳＭＳ−ＳＣ５０に転送すること、または、５）セルブロードキャストサービス（ＣＢＳ）を介してブロードキャスト送達されるようにＣＢＣ４５に転送すること（ブロードキャストエリアを制限するために、位置情報がトリガ指示要求中でまたは他のソースから入手可能であるものとして）ができる。
【００１０】
以下で言及するとき、用語「ワイヤレス送受信ユニット（ＷＴＲＵ）」は、ユーザ機器（ＵＥ）、移動局、固定またはモバイルの加入者ユニット、ページャ、セルラー電話機、パーソナルディジタルアシスタント（ＰＤＡ）、コンピュータ、または、ワイヤレス環境で動作できる他の任意のタイプのデバイスを含むが、これらに限定されない。以下で言及するとき、用語「基地局」は、Ｎｏｄｅ−Ｂ、発展型（ｅｖｏｌｖｅｄ）Ｎｏｄｅ−Ｂ（ｅＮＢ）、サイトコントローラ、アクセスポイント（ＡＰ）、または、ワイヤレス環境で動作できる他の任意のタイプのインタフェーシングデバイスを含むが、これらに限定されない。
【００１１】
図２Ａに、１つまたは複数の開示される実施形態を実現できる例示的な通信システム１００を示す。通信システム１００は、音声、データ、ビデオ、メッセージング、ブロードキャストなどのコンテンツを複数のワイヤレスユーザに提供する、多元接続システムとすることができる。通信システム１００は、複数のワイヤレスユーザが、ワイヤレス帯域幅を含めたシステムリソースの共有を通してこのようなコンテンツにアクセスするのを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）など、１つまたは複数のチャネルアクセス方法を採用することができる。
【００１２】
図２Ａに示すように、通信システム１００は、ＷＴＲＵ１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含んでよいが、開示される実施形態が任意の数のＷＴＲＵ、基地局、ネットワーク、および／またはネットワーク要素を企図することは理解されるであろう。各ＷＴＲＵ１０２ａ、１０２ｂ、１０２ｃ、１０２ｄは、ワイヤレス環境で動作および／または通信するように構成された任意のタイプのデバイスとすることができる。例として、ＷＴＲＵ１０２ａ、１０２ｂ、１０２ｃ、１０２ｄは、ワイヤレス信号を送信および／または受信するように構成されてよく、ユーザ機器（ＵＥ）、移動局、固定またはモバイルの加入者ユニット、ページャ、セルラー電話機、パーソナルディジタルアシスタント（ＰＤＡ）、スマートフォン、ラップトップ、ネットブック、パーソナルコンピュータ、ワイヤレスセンサ、家庭用電化製品などを含み得る。
【００１３】
通信システム１００はまた、基地局１１４ａおよび基地局１１４ｂを含んでよい。基地局１１４ａ、１１４ｂの各々は、ＷＴＲＵ１０２ａ、１０２ｂ、１０２ｃ、１０２ｄのうちの少なくとも１つとワイヤレスにインタフェースして、コアネットワーク１０６、インターネット１１０、および／または他のネットワーク１１２など、１つまたは複数の通信ネットワークへのアクセスを容易にするように構成された、任意のタイプのデバイスとすることができる。例として、基地局１１４ａ、１１４ｂは、ベーストランシーバステーション（ＢＴＳ）、Ｎｏｄｅ−Ｂ、発展型Ｎｏｄｅ−Ｂ（ｅＮＢ）、Ｈｏｍｅ  Ｎｏｄｅ−Ｂ（ＨＮＢ）、Ｈｏｍｅ  ｅＮＢ（ＨｅＮＢ）、サイトコントローラ、アクセスポイント（ＡＰ）、ワイヤレスルータなどとすることができる。基地局１１４ａ、１１４ｂはそれぞれ単一の要素として描かれているが、基地局１１４ａ、１１４ｂが任意の数の相互接続された基地局および／またはネットワーク要素を含んでよいことは理解されるであろう。
【００１４】
基地局１１４ａはＲＡＮ１０４の一部とすることができ、ＲＡＮ１０４はまた、基地局コントローラ（ＢＳＣ）や無線ネットワークコントローラ（ＲＮＣ）や中継ノードなど、他の基地局および／またはネットワーク要素（図示せず）を含んでもよい。基地局１１４ａおよび／または基地局１１４ｂは、特定の地理領域内でワイヤレス信号を送信および／または受信するように構成されてよく、この地理領域はセル（図示せず）と呼ばれることがある。セルはさらに、セルセクタに分割することができる。例えば、基地局１１４ａに関連するセルを３つのセクタに分割することができる。したがって、一実施形態では、基地局１１４ａは、３つの送受信機、すなわちセルの各セクタにつき１つの送受信機を備えてよい。別の実施形態では、基地局１１４ａは、多入力多出力（ＭＩＭＯ）技術を採用することができ、したがって、セルの各セクタにつき複数の送受信機を利用することができる。
【００１５】
基地局１１４ａ、１１４ｂは、エアインタフェース１１６を介してＷＴＲＵ１０２ａ、１０２ｂ、１０２ｃ、１０２ｄのうちの１つまたは複数と通信することができ、エアインタフェース１１６は、任意の適切なワイヤレス通信リンク（例えば無線周波数（ＲＦ）、マイクロ波、赤外線（ＩＲ）、紫外線（ＵＶ）、可視光など）とすることができる。エアインタフェース１１６は、任意の適切な無線アクセス技術（ＲＡＴ）を使用して確立されてよい。
【００１６】
より具体的には、上に言及したように、通信システム１００は、多元接続システムとすることができ、ＣＤＭＡ、ＴＤＭＡ、ＦＤＭＡ、ＯＦＤＭＡ、ＳＣ−ＦＤＭＡなど、１つまたは複数のチャネルアクセス方式を採用することができる。例えば、ＲＡＮ１０４中の基地局１１４ａ、およびＷＴＲＵ１０２ａ、１０２ｂ、１０２ｃは、ＵＴＲＡ（ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）ｔｅｒｒｅｓｔｒｉａｌ  ｒａｄｉｏ  ａｃｃｅｓｓ）などの無線技術を実装することができ、これにより、広帯域ＣＤＭＡ（ＷＣＤＭＡ（登録商標））を使用してエアインタフェース１１６を確立することができる。ＷＣＤＭＡは、ＨＳＰＡ（ｈｉｇｈ−ｓｐｅｅｄ  ｐａｃｋｅｔ  ａｃｃｅｓｓ）および／またはＨＳＰＡ＋（ｅｖｏｌｖｅｄ  ＨＳＰＡ）などの通信プロトコルを含み得る。ＨＳＰＡは、ＨＳＤＰＡ（ｈｉｇｈ−ｓｐｅｅｄ  ＤＬ  ｐａｃｋｅｔ  ａｃｃｅｓｓ）および／またはＨＳＵＰＡ（ｈｉｇｈ−ｓｐｅｅｄ  ＵＬ  ｐａｃｋｅｔ  ａｃｃｅｓｓ）を含み得る。
【００１７】
別の実施形態では、基地局１１４ａおよびＷＴＲＵ１０２ａ、１０２ｂ、１０２ｃは、Ｅ−ＵＴＲＡ（ｅｖｏｌｖｅｄ  ＵＴＲＡ）などの無線技術を実装することができ、これにより、ＬＴＥ（ｌｏｎｇ  ｔｅｒｍ  ｅｖｏｌｕｔｉｏｎ）および／またはＬＴＥ−Ａ（ＬＴＥ−Ａｄｖａｎｃｅｄ）を使用してエアインタフェース１１６を確立することができる。
【００１８】
他の実施形態では、基地局１１４ａおよびＷＴＲＵ１０２ａ、１０２ｂ、１０２ｃは、ＩＥＥＥ８０２．１６（すなわちＷｉＭＡＸ（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ））、ＣＤＭＡ２０００、ＣＤＭＡ２０００  １Ｘ、ＣＤＭＡ２０００  ＥＶ−ＤＯ（ｅｖｏｌｕｔｉｏｎ−ｄａｔａ  ｏｐｔｉｍｉｚｅｄ）、ＩＳ−２０００（Ｉｎｔｅｒｉｍ  Ｓｔａｎｄａｒｄ  ２０００）、ＩＳ−９５（Ｉｎｔｅｒｉｍ  Ｓｔａｎｄａｒｄ  ９５）、ＩＳ−８５６（Ｉｎｔｅｒｉｍ  Ｓｔａｎｄａｒｄ  ８５６）、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）、ＥＤＧＥ（ｅｎｈａｎｃｅｄ  ｄａｔａ  ｒａｔｅｓ  ｆｏｒ  ＧＳＭ  ｅｖｏｌｕｔｉｏｎ）、ＧＥＲＡＮ（ＧＳＭ／ＥＤＧＥ  ＲＡＮ）などの無線技術を実装することができる。
【００１９】
図２Ａの基地局１１４ｂは、例えばワイヤレスルータ、ＨＮＢ、ＨｅＮＢ、またはＡＰとすることができ、事業所、家庭、車両、キャンパスなどの局所化されたエリア中でのワイヤレス接続性を容易にするために任意の適切なＲＡＴを利用することができる。一実施形態では、基地局１１４ｂおよびＷＴＲＵ１０２ｃ、１０２ｄは、ＩＥＥＥ８０２．１１などの無線技術を実装して、ワイヤレスローカルエリアネットワーク（ＷＬＡＮ）を確立することができる。別の実施形態では、基地局１１４ｂおよびＷＴＲＵ１０２ｃ、１０２ｄは、ＩＥＥＥ８０２．１５などの無線技術を実装して、ワイヤレスパーソナルエリアネットワーク（ＷＰＡＮ）を確立することができる。さらに別の実施形態では、基地局１１４ｂおよびＷＴＲＵ１０２ｃ、１０２ｄは、セルラーベースのＲＡＴ（例えばＷＣＤＭＡ、ＣＤＭＡ２０００、ＧＳＭ、ＬＴＥ、ＬＴＥ−Ａなど）を利用して、ピコセルまたはフェムトセルを確立することができる。図２Ａに示すように、基地局１１４ｂは、インターネット１１０への直接接続を有することができる。したがって、基地局１１４ｂは、コアネットワーク１０６を介してインターネット１１０にアクセスすることは必要とされなくてよい。
【００２０】
ＲＡＮ１０４は、コアネットワーク１０６と通信することができ、コアネットワーク１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄのうちの１つまたは複数に提供するように構成された任意のタイプのネットワークとすることができる。例えば、コアネットワーク１０６は、呼制御、課金サービス、モバイル位置ベースのサービス、前払い電話、インターネット接続性、ビデオ配信などを提供することができ、および／または、ユーザ認証など、高レベルのセキュリティ機能を実施することができる。図２Ａには示されていないが、ＲＡＮ１０４および／またはコアネットワーク１０６が、ＲＡＮ１０４と同じＲＡＴまたは異なるＲＡＴを採用する他のＲＡＮと、直接にまたは間接的に通信してもよいことは理解されるであろう。例えば、コアネットワーク１０６は、Ｅ−ＵＴＲＡ無線技術を利用しているであろうＲＡＮ１０４に接続されるのに加えて、ＧＳＭ無線技術を採用する別のＲＡＮ（図示せず）と通信してもよい。
【００２１】
コアネットワーク１０６はまた、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとしての働きをすることができる。ＰＳＴＮ１０８は、ＰＯＴＳ（ｐｌａｉｎ  ｏｌｄ  ｔｅｌｅｐｈｏｎｅ  ｓｅｒｖｉｃｅ）を提供する回線交換電話網を含み得る。インターネット１１０は、ＴＣＰ／ＩＰスイート中の、伝送制御プロトコル（ＴＣＰ）、ユーザデータグラムプロトコル（ＵＤＰ）、およびインターネットプロトコル（ＩＰ）など、共通の通信プロトコルを使用する相互接続されたコンピュータネットワークおよびデバイスの地球規模のシステムを含み得る。ネットワーク１１２は、他のサービスプロバイダによって所有および／または運営される、有線またはワイヤレス通信ネットワークを含み得る。例えば、ネットワーク１１２は、ＲＡＮ１０４と同じＲＡＴまたは異なるＲＡＴを採用するであろう１つまたは複数のＲＡＮに接続された、別のコアネットワークを含み得る。
【００２２】
通信システム１００中のＷＴＲＵ１０２ａ、１０２ｂ、１０２ｃ、１０２ｄのいくつかまたは全ては、マルチモード能力を備えることができる。すなわち、ＷＴＲＵ１０２ａ、１０２ｂ、１０２ｃ、１０２ｄは、種々のワイヤレスリンクを介して種々のワイヤレスネットワークと通信するために、複数の送受信機を備えてよい。例えば、図２Ａに示すＷＴＲＵ１０２ｃは、セルラーベースの無線技術を採用するであろう基地局１１４ａと、また、ＩＥＥＥ８０２無線技術を採用するであろう基地局１１４ｂと、通信するように構成されてよい。
【００２３】
図２Ｂに、図２Ａに示される通信システム１００内で使用できる例示的なＷＴＲＵ１０２を示す。図２Ｂに示すように、ＷＴＲＵ１０２は、プロセッサ１１８、送受信機１２０、送受信要素（例えばアンテナ）１２２、スピーカ／マイクロホン１２４、キーパッド１２６、表示装置／タッチパッド１２８、取外し不可能メモリ１３０、取外し可能メモリ１３２、電源１３４、全地球測位システム（ＧＰＳ）チップセット１３６、および周辺装置１３８を備えてよい。ＷＴＲＵ１０２が一実施形態との整合性を維持しながら前述の要素の任意のサブコンビネーションを備えてよいことは理解されるであろう。
【００２４】
プロセッサ１１８は、汎用プロセッサ、専用プロセッサ、従来型プロセッサ、ディジタル信号プロセッサ（ＤＳＰ）、マイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、集積回路（ＩＣ）、状態機械などとすることができる。プロセッサ１１８は、信号符号化、データ処理、電力制御、入出力処理、および／または、ＷＴＲＵ１０２がワイヤレス環境で動作できるようにする他の任意の機能を実施することができる。プロセッサ１１８は送受信機１２０に結合されてよく、送受信機１２０は送受信要素１２２に結合されてよい。図２Ｂではプロセッサ１１８と送受信機１２０とを別々のコンポーネントとして描いているが、プロセッサ１１８と送受信機１２０とが共に電子パッケージまたはチップ中で統合されてもよい。
【００２５】
送受信要素１２２は、エアインタフェース１１６を介して基地局（例えば基地局１１４ａ）に信号を送信または基地局（例えば基地局１１４ａ）から信号を受信するように構成されてよい。例えば、一実施形態では、送受信要素１２２は、ＲＦ信号を送信および／または受信するように構成されたアンテナとすることができる。別の実施形態では、送受信要素１２２は、例えばＩＲ、ＵＶ、または可視光信号を送信および／または受信するように構成された、エミッタ／検出器とすることができる。さらに別の実施形態では、送受信要素１２２は、ＲＦ信号と光信号の両方を送受信するように構成されてよい。送受信要素１２２は、任意の組合せのワイヤレス信号を送信および／または受信するように構成されてよい。
【００２６】
加えて、図２Ｂでは送受信要素１２２が単一の要素として描かれているが、ＷＴＲＵ１０２は、任意の数の送受信要素１２２を備えてよい。より具体的には、ＷＴＲＵ１０２は、ＭＩＭＯ技術を採用することができる。したがって、一実施形態では、ＷＴＲＵ１０２は、エアインタフェース１１６を介してワイヤレス信号を送信および受信するために、２つ以上の送受信要素１２２（例えば複数のアンテナ）を備えてよい。
【００２７】
送受信機１２０は、送受信要素１２２によって送信されることになる信号を変調し、送受信要素１２２によって受信された信号を復調するように構成されてよい。上に言及したように、ＷＴＲＵ１０２は、マルチモード能力を有することができる。したがって、送受信機１２０は、ＷＴＲＵ１０２が、例えばＵＴＲＡおよびＩＥＥＥ８０２．１１などの複数のＲＡＴを介して通信できるようにするために、複数の送受信機を備えてよい。
【００２８】
ＷＴＲＵ１０２のプロセッサ１１８は、スピーカ／マイクロホン１２４、キーパッド１２６、および／または、表示装置／タッチパッド１２８（例えば液晶ディスプレイ（ＬＣＤ）表示ユニットや有機発光ダイオード（ＯＬＥＤ）表示ユニット）に結合されてよく、かつ、これらからユーザ入力データを受け取ることができる。プロセッサ１１８はまた、スピーカ／マイクロホン１２４、キーパッド１２６、および／または、表示装置／タッチパッド１２８にユーザデータを出力することができる。加えて、プロセッサ１１８は、取外し不可能メモリ１３０および／または取外し可能メモリ１３２など、任意のタイプの適切なメモリからの情報にアクセスすること、およびそのようなメモリにデータを記憶することができる。取外し不可能メモリ１３０は、ランダムアクセスメモリ（ＲＡＭ）、読取専用メモリ（ＲＯＭ）、ハードディスク、または他の任意のタイプのメモリ記憶デバイスを含み得る。取外し可能メモリ１３２は、ＳＩＭ（ｓｕｂｓｃｒｉｂｅｒ  ｉｄｅｎｔｉｔｙ  ｍｏｄｕｌｅ）カード、メモリスティック、ＳＤ（ｓｅｃｕｒｅ  ｄｉｇｉｔａｌ）メモリカードなどを含み得る。他の実施形態では、プロセッサ１１８は、サーバやホームコンピュータ（図示せず）上のメモリなど、ＷＴＲＵ１０２上に物理的に位置しないメモリからの情報にアクセスすること、およびそのようなメモリにデータを記憶することができる。
【００２９】
プロセッサ１１８は、電源１３４から電力を受け取ることができ、ＷＴＲＵ１０２中の他のコンポーネントへの電力を分配および／または制御するように構成されてよい。電源１３４は、ＷＴＲＵ１０２に電力を供給するための任意の適切なデバイスとすることができる。例えば、電源１３４は、１つまたは複数の乾電池バッテリ（例えばニッケルカドミウム（ＮｉＣｄ）、ニッケル亜鉛（ＮｉＺｎ）、ニッケル金属水素化物（ＮｉＭＨ）、リチウムイオン（Ｌｉ−ｉｏｎ）等）、太陽電池、燃料電池などを含み得る。
【００３０】
プロセッサ１１８はまた、ＧＰＳチップセット１３６にも結合されてよく、ＧＰＳチップセット１３６は、ＷＴＲＵ１０２の現在位置に関する位置情報（例えば経度と緯度）を提供するように構成されてよい。ＧＰＳチップセット１３６からの情報に加えて、またはそれに代えて、ＷＴＲＵ１０２は、基地局（例えば基地局１１４ａ、１１４ｂ）からエアインタフェース１１６を介して位置情報を受け取ることができ、および／または、２つ以上の近隣基地局から受け取られている信号のタイミングに基づいてその位置を決定することができる。ＷＴＲＵ１０２は、一実施形態との整合性を維持しながら、任意の適切な位置決定方法を用いて位置情報を取得することができる。
【００３１】
プロセッサ１１８はさらに、他の周辺装置１３８にも結合されてよく、周辺装置１３８は、追加の機構、機能、および／または有線もしくはワイヤレス接続性をもたらす、１つまたは複数のソフトウェアおよび／またはハードウェアモジュールを含み得る。例えば、周辺装置１３８は、加速度計、電子コンパス、衛星送受信機、ディジタルカメラ（写真またはビデオ用）、ＵＳＢ（ｕｎｉｖｅｒｓａｌ  ｓｅｒｉａｌ  ｂｕｓ）ポート、振動デバイス、テレビジョン送受信機、ハンズフリーヘッドセット、Ｂｌｕｅｔｏｏｔｈ（登録商標）モジュール、周波数変調（ＦＭ）無線ユニット、ディジタル音楽プレーヤ、メディアプレーヤ、ビデオゲームプレーヤモジュール、インターネットブラウザなどを含み得る。
【００３２】
図２Ｃに、図２Ａに示される通信システム１００内で使用できる例示的なＲＡＮ１０４および例示的なコアネットワーク１０６を示す。上に言及したように、ＲＡＮ１０４は、Ｅ−ＵＴＲＡ無線技術を採用して、エアインタフェース１１６を介してＷＴＲＵ１０２ａ、１０２ｂ、１０２ｃと通信することができる。ＲＡＮ１０４はまた、コアネットワーク１０６とも通信することができる。
【００３３】
ＲＡＮ１０４は、ｅＮＢ１４０ａ、１４０ｂ、１４０ｃを含んでよいが、ＲＡＮ１０４が一実施形態との整合性を維持しながら任意の数のｅＮＢを含んでよいことは理解されるであろう。ｅＮＢ１４０ａ、１４０ｂ、１４０ｃはそれぞれ、エアインタフェース１１６を介してＷＴＲＵ１０２ａ、１０２ｂ、１０２ｃと通信するために、１つまたは複数の送受信機を備えてよい。一実施形態では、ｅＮＢ１４０ａ、１４０ｂ、１４０ｃは、ＭＩＭＯ技術を実装することができる。したがって、例えばｅＮＢ１４０ａは、複数のアンテナを使用して、ＷＴＲＵ１０２ａにワイヤレス信号を送信およびＷＴＲＵ１０２ａからワイヤレス信号を受信することができる。
【００３４】
ｅＮＢ１４０ａ、１４０ｂ、１４０ｃの各々は、特定のセル（図示せず）に関連してよく、無線リソース管理決定、ハンドオーバ決定、ＵＬおよび／またはＤＬにおけるユーザのスケジューリングなどを処理するように構成されてよい。図２Ｃに示すように、ｅＮＢ１４０ａ、１４０ｂ、１４０ｃは、Ｘ２インタフェースを介して相互と通信することができる。
【００３５】
図２Ｃに示すコアネットワーク１０６は、モビリティ管理エンティティ（ＭＭＥ）１４２、サービングゲートウェイ１４４、およびパケットデータネットワーク（ＰＤＮ）ゲートウェイ１４６を含んでよい。前述の各要素はコアネットワーク１０６の一部として描かれているが、これらの要素のいずれか１つがコアネットワークオペレータ以外のエンティティによって所有および／または運営されてもよいことは理解されるであろう。
【００３６】
ＭＭＥ１４２は、Ｓ１インタフェースを介してＲＡＮ１０４中のｅＮＢ１４０ａ、１４０ｂ、１４０ｃの各々に接続されてよく、制御ノードとしての働きをすることができる。例えば、ＭＭＥ１４２は、ＷＴＲＵ１０２ａ、１０２ｂ、１０２ｃのユーザを認証すること、ベアラをアクティブ化／非アクティブ化すること、ＷＴＲＵ１０２ａ、１０２ｂ、１０２ｃの最初のアタッチ中に特定のサービングゲートウェイを選択することなどを担うことができる。ＭＭＥ１４２はまた、ＲＡＮ１０４と、ＧＳＭやＷＣＤＭＡなど他の無線技術を採用する他のＲＡＮ（図示せず）との間で切り替えるための制御プレーン機能を提供することもできる。
【００３７】
サービングゲートウェイ１４４は、Ｓ１インタフェースを介してＲＡＮ１０４中のｅＮＢ１４０ａ、１４０ｂ、１４０ｃの各々に接続されてよい。サービングゲートウェイ１４４は一般に、ＷＴＲＵ１０２ａ、１０２ｂ、１０２ｃに／からユーザデータパケットをルーティングおよび転送することができる。サービングゲートウェイ１４４はまた、ｅ−ＮＢ間のハンドオーバ中にユーザプレーンをつなぎ留めること、ＤＬデータがＷＴＲＵ１０２ａ、１０２ｂ、１０２ｃに利用可能なときにページングをトリガすること、ＷＴＲＵ１０２ａ、１０２ｂ、１０２ｃのコンテキストを管理および記憶することなど、他の機能を実施することもできる。
【００３８】
サービングゲートウェイ１４４はまた、ＰＤＮゲートウェイ１４６に接続されてよく、ＰＤＮゲートウェイ１４６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００３９】
コアネットワーク１０６は、他のネットワークとの通信を容易にすることができる。例えば、コアネットワーク１０６は、ＰＳＴＮ１０８などの回路交換ネットワークへのアクセスをＷＴＲＵ１０２ａ、１０２ｂ、１０２ｃに提供して、ＷＴＲＵ１０２ａ、１０２ｂ、１０２ｃと従来の固定電話通信デバイスとの間の通信を容易にすることができる。例えば、コアネットワーク１０６は、コアネットワーク１０６とＰＳＴＮ１０８との間のインタフェースとしての働きをするＩＰゲートウェイ（例えばＩＰマルチメディアサブシステム（ＩＭＳ）サーバ）を備えるか、またはそのようなＩＰゲートウェイと通信することができる。加えて、コアネットワーク１０６は、他のサービスプロバイダによって所有および／または運営される他の有線またはワイヤレスネットワークを含み得る他のネットワーク１１２へのアクセスを、ＷＴＲＵ１０２ａ、１０２ｂ、１０２ｃに提供することができる。
【００４０】
ブロードキャストチャネルが、様々なシステム情報（ＳＩ）タイプ内の情報を提供することができ、各ＳＩタイプは、ＷＴＲＵによって必要とされる情報（例えば、ネットワーク情報（ネットワークのモバイルカントリーコード（ＭＣＣ）／モバイルネットワークコード（ＭＮＣ））、周波数同期パラメータなど）を提供する。
【００４１】
モバイル通信では間欠受信（ＤＲＸ）が使用されて、ＷＴＲＵのバッテリが温存される。ＷＴＲＵとネットワークは、データ転送が行われる段階を交渉する。他の時間中は、モバイルデバイスは、その受信機をオフにして低電力状態に入る。ＤＲＸ周期は、ネットワークによって交渉されるか、またはモバイルデバイスによって送信されてよい。
【００４２】
オフラインデバイス（すなわちデタッチされたデバイス、例えばＭＴＣ  ＷＴＲＵ）は、ＵＴＲＡＮおよびＥ−ＵＴＲＡＮに関してそれぞれ、ＰＭＭ（ｐａｃｋｅｔ  ｍｏｂｉｌｉｔｙ  ｍａｎａｇｅｍｅｎｔ）−ＤＥＴＡＣＨＥＤ状態、またはＥＭＭ（ＥＰＳ（ｅｖｏｌｖｅｄ  ｐａｃｋｅｔ  ｓｙｓｔｅｍ）ｍｏｂｉｌｉｔｙ  ｍａｎａｇｅｍｅｎｔ）−ＤＥＲＥＧＩＳＴＥＲＥＤ状態にある。オフラインデバイスは、セルに登録しない限り、その位置を意識していない。
【００４３】
ＭＭＥ／ＳＧＳＮは、ＷＴＲＵがＥＣＭ（ＥＰＳ  Ｃｏｎｎｅｃｔｉｏｎ  Ｍａｎａｇｅｍｅｎｔ）−ＩＤＬＥ状態またはＩＤＬＥ（ＰＭＭ−ＩＤＬＥ）状態にあるとき、それぞれトラッキングエリア（ＴＡ）またはルーティングエリア（ＲＡ）識別粒度ごとの位置を知っている。加えて、ＭＭＥ／ＳＧＳＮは、ＷＴＲＵがＥＣＭ−ＣＯＮＮＥＣＴＥＤ状態またはＲＥＡＤＹ／ＰＭＭ−ＣＯＮＮＥＣＴＥＤ状態にあるとき、セル識別（ＩＤ）粒度ごとのＷＴＲＵの位置を知っている。
【００４４】
ＭＴＣ  ＷＴＲＵをトリガするために、ページングチャネルを（最適化された間欠受信（ＤＲＸ）タイミングを介して）、またはブロードキャストチャネルを（新しいブロードキャストチャネル情報に基づいて）使用することができる。ページングチャネルを介してトリガするときは、長いＤＲＸ期間の発生およびオフラインＭＴＣ  ＷＴＲＵのせいで、ＭＴＣ  ＷＴＲＵとネットワークとの間でＤＲＸを同期させる必要がある。加えて、ブロードキャストチャネルを介してトリガするときは、同期を維持するために、ＭＴＣ  ＷＴＲＵは、いつ通信を受信するかを知る必要があり、ネットワークは、いつ通信を送信するかを知る必要がある。
【００４５】
ここで、ＭＴＣ  ＷＴＲＵに関する２つの主要なウェイクアップ周期／期間について述べる。１）「報告期間」では、全てのＭＴＣ  ＷＴＲＵが使用データをネットワークに報告しており、２）「制御期間」では、ＭＴＣサーバがこれらのＭＴＣ  ＷＴＲＵへの制御関連の通信を開始することができる。制御期間中、ＭＴＣ  ＷＴＲＵは、ウェイクアップし、一群のまたは個別のＭＴＣ  ＷＴＲＵに宛てられたページまたはショートメッセージサービス（ＳＭＳ）メッセージがあるかどうか第３世代パートナーシッププロジェクト（３ＧＰＰ）制御チャネルを監視する。ＭＴＣサーバがＭＴＣｓｐインタフェースを介してＭＴＣ  ＷＴＲＵをトリガするとき、ＭＴＣサーバは、新しい／更新された制御期間および／または報告期間に関する情報を提供する。実装形態に基づき、３ＧＰＰオペレータまたはＭＴＣサーバは、制御期間のみを使用することがある。このような場合、ＭＴＣ  ＷＴＲＵは、ページング情報があるかどうかチャネルを監視することができる。ＭＴＣ  ＷＴＲＵは、ＭＴＣサーバによってページングされた場合に、その報告周期に入る（ＭＴＣ  ＷＴＲＵがページングされない場合は、ＭＴＣ  ＷＴＲＵはネットワークにアタッチしない）。
【００４６】
加えて、制御期間および報告期間は、ＭＴＣ  ＷＴＲＵおよびネットワークによって、モバイルデバイスの現在位置を監視するために使用することができる。このオプションは、通常はネットワークからデタッチされているＭＴＣ  ＷＴＲＵに、特に適用可能であろう。制御期間中、デタッチされているデバイスは、デバイスに記憶された位置エリアリストに含まれていない新しい位置情報、新しいトラッキングエリア（ＴＡ）、またはルーティングエリア（ＲＡ）があるかどうか、ページングチャネルまたはブロードキャストチャネルを監視することができる。このような場合、デバイスは、アタッチプロシージャを実施し、その位置を報告し、次いでデタッチすることができる。
【００４７】
報告周期および制御周期はトリガ周期と呼ぶこともできるが、これらの周期は、間欠受信（ＤＲＸ）周期を拡張することによって、または新しいシステム情報ブロック（ＳＩＢ）情報を定義することによりネットワークがブロードキャストチャネルを介して周期を送信できるようにすることによって、非アクセス層（ＮＡＳ）レイヤを介して送信されてよい。
【００４８】
ＭＴＣ  ＷＴＲＵと、３ＧＰＰコアネットワークおよび／またはＭＴＣサーバとの間の制御周期および報告周期に関する種々の実施形態について、以下に述べる。
【００４９】
第１の実施形態では、インターネットプロトコル（ＩＰ）の最上位で、全ての同期シグナリングを実施することができる（すなわちアプリケーションによって）。この実施形態では、ＭＴＣ  ＷＴＲＵがネットワークにアタッチしてＭＴＣサーバとのセッションをセットアップしたとき、ＭＴＣサーバは、アプリケーションを介して、（ＩＰの最上位で）、新しいまたは更新された制御期間および報告期間を提供することができる。ＭＴＣ  ＷＴＲＵは、サーバによってページングされた場合に（例えば制御インターバル中に）、または報告インターバル中に、ＭＴＣサーバに接続する。３ＧＰＰ  ＣＮは、同期期間を意識していない（シグナリングおよび関連プロシージャを実施するためのバックボーンを提供する）。
【００５０】
ＭＴＣ  ＷＴＲＵのトリガがページングチャネルを介して実施される（かつ最適化されたＤＲＸ周期が使用される）場合は、最適化されたＤＲＸ周期が制御期間にマッピングされ、ＭＴＣサーバは、新しいおよび／または更新されたＤＲＸ周期を、ＩＰを介してＭＴＣ  ＷＴＲＵに送信することができる。ＭＴＣ  ＷＴＲＵは、更新されたＤＲＸ周期を３ＧＰＰコアネットワークに報告することができる（トラッキング／ルーティングエリア更新、またはアタッチ／デタッチ要求プロシージャを介して）。ＭＴＣ  ＷＴＲＵのトリガがブロードキャストチャネルを介して実施される場合は、ＭＴＣサーバは、ＩＰを介して、制御／報告周期の詳細、ならびに、どのブロードキャストチャネルを監視すべきかを送信する。ＭＴＣ  ＷＴＲＵは、制御期間中、トリガ情報があるかどうかブロードキャストチャネルを監視する。
【００５１】
図３に、Ｅ−ＵＴＲＡＮのケースでＭＴＣサーバ３３５が制御／報告期間を提供する、ＭＴＣアーキテクチャ３００内での例示的な信号フローを示す。ＭＴＣアーキテクチャ３００は、ＭＴＣ  ＷＴＲＵ３０５、ＭＭＥ３１０、ＨＳＳ３１５、サービングゲートウェイ（ＳＧＷ）３２０、ＰＧＷ３２５、ＭＴＣ  ＤＴ−ＧＷ３３０、およびＭＴＣサーバ３３５を含む。ＭＴＣ  ＤＴ−ＧＷ３３０および他の同様にタグ付けされたエンティティは、図１のＤＴ−ＧＷ３０と同じであり、これらを使用して、ＭＴＣ  ＷＴＲＵに対処する（例えばトリガ指示をＭＴＣサーバからＭＴＣ  ＷＴＲＵに搬送する）ことができる。
【００５２】
ＭＴＣ  ＷＴＲＵ３０５は、制御期間に入り、ＭＴＣサーバ３３５からのトリガを待機する（３４０）。ページングチャネルが使用される場合は、ＭＴＣ  ＷＴＲＵ３０５は、制御期間がＤＲＸ周期と同じであるように構成される。ブロードキャストチャネルが使用される場合は、ＭＴＣ  ＷＴＲＵ３０５は、制御期間中にウェイクアップして、トリガ情報があるかどうかブロードキャストチャネルを監視する。ＭＴＣサーバ３３５は、ＭＴＣ  ＷＴＲＵ３０５をトリガする（ＭＴＣサーバ３３５は、ＭＴＣ  ＷＴＲＵ３０５の制御／報告周期を意識している）（３４５）。ページングチャネルを使用してＭＴＣ  ＷＴＲＵ３０５がトリガされる場合は、ＭＴＣサーバ３３５はＤＲＸ周期を意識している。ブロードキャストチャネルを使用してＭＴＣ  ＷＴＲＵ３０５がトリガされる場合は、ＭＴＣサーバ３３５はまた、どのブロードキャストチャネルをＭＴＣ  ＷＴＲＵ３０５が監視しているかも意識している（制御／報告周期に加えて）。
【００５３】
ＭＴＣサーバ３３５は、ＭＴＣ  ＷＴＲＵ３０５をページングする（ＭＭＥ３１０を介して）（３５０）。ＭＭＥ３１０は、ページングチャネルとブロードキャストチャネルのいずれかを介して、ＭＴＣ  ＷＴＲＵ３０５をページングする（３５５）。ＭＴＣ  ＷＴＲＵ３０５は、トリガが送信されるとＭＴＣサーバ３３５に接続するように構成される（３６０）。ＭＴＣ  ＷＴＲＵ３０５は、ＩＰを介してＭＴＣサーバ３３５との接続を確立し、データを提供する（３６５）。ＭＴＣサーバ３３５は、新しい／更新された制御期間および報告期間の詳細をＭＴＣ  ＷＴＲＵ３０５に送信する（３７０）。報告の完了後、ＭＴＣ  ＷＴＲＵ３０５は、アイドル／オフラインモードに入る（３７５）。ＭＴＣ  ＷＴＲＵ３０５は、無線リソース制御（ＲＲＣ）接続をデタッチするかまたは解放する（３８０）。ページングチャネルが使用される場合は、ＭＴＣ  ＷＴＲＵ３０５は、デタッチ要求またはＲＲＣ接続解放要求を介してそのＤＲＸ周期をＭＭＥ３１０に報告することができる。制御期間中、ＭＴＣ  ＷＴＲＵ３０５は、トリガがあるかどうかページングチャネルまたはブロードキャストチャネルを監視する（３８５）。報告期間中、ＭＴＣ  ＷＴＲＵ３０５は、ＭＴＣサーバ３３５との接続を確立して、関連情報を送信する（３９０）。ＭＴＣサーバ３３５は、更新された制御／報告情報を送信することができる。
【００５４】
図４に、ＵＴＲＡＮ／ＧＥＲＡＮのケースでＭＴＣサーバ４３０が制御／報告期間を提供する、ＭＴＣアーキテクチャ４００内での例示的な信号フローを示す。ＭＴＣアーキテクチャ４００は、ＭＴＣ  ＷＴＲＵ４０５、ＳＧＳＮ４１０、ＨＳＳ４１５、ＧＧＳＮ４２０、ＭＴＣ  ＤＴ−ＧＷ４２５、およびＭＴＣサーバ４３０を含む。ＭＴＣ  ＷＴＲＵ４０５は、制御期間に入り、ＭＴＣサーバ４３０からのトリガを待機する（４３５）。ページングチャネルが使用される場合は、ＭＴＣ  ＷＴＲＵ４０５は、制御期間がＤＲＸ周期と同じであるように構成される。ブロードキャストチャネルが使用される場合は、ＭＴＣ  ＷＴＲＵ４０５は、制御期間中にウェイクアップして、トリガ情報があるかどうかブロードキャストチャネルを監視する。ＭＴＣサーバ４３０は、ＭＴＣ  ＷＴＲＵ４０５をトリガする（ＭＴＣサーバ４３０は、ＭＴＣ  ＷＴＲＵ４０５の制御／報告周期を意識している）（４４０）。ページングチャネルを使用してＭＴＣ  ＷＴＲＵ４０５がトリガされる場合は、ＭＴＣサーバ４３０はＤＲＸ周期を意識している。ブロードキャストチャネルを使用してＭＴＣ  ＷＴＲＵ４０５がトリガされる場合は、ＭＴＣサーバ４３０はまた、どのブロードキャストチャネルをＭＴＣ  ＷＴＲＵ４０５が監視しているかも意識している（制御／報告周期に加えて）。
【００５５】
ＭＴＣサーバ４３０は、ＭＴＣ  ＷＴＲＵ４０５をページングする（ＳＧＳＮ４１０を介して）（４４５）。ＳＧＳＮ４１０は、ページングチャネルとブロードキャストチャネルのいずれかを介して、ＭＴＣ  ＷＴＲＵ４０５をページングする（４５０）。ＭＴＣ  ＷＴＲＵ４０５は、トリガが送信されるとＭＴＣサーバ４３０に接続するように構成される（４５５）。ＭＴＣ  ＷＴＲＵ４０５は、ＩＰを介してＭＴＣサーバ４３０との接続を確立し、データを提供する（４６０）。ＭＴＣサーバ４３０は、新しい／更新された制御期間および報告期間の詳細をＭＴＣ  ＷＴＲＵ４０５に送信する（４６５）。報告の完了後、ＭＴＣ  ＷＴＲＵ４０５は、アイドル／オフラインモードに入る（４７０）。ＭＴＣ  ＷＴＲＵ４０５は、ＲＲＣ接続をデタッチするかまたは解放する（４７５）。ページングチャネルが使用される場合は、ＭＴＣ  ＷＴＲＵ４０５は、デタッチ要求またはＲＲＣ接続解放要求を介して、そのＤＲＸ周期をＳＧＳＮ４１０に報告することができる。制御期間中、ＭＴＣ  ＷＴＲＵ４０５は、トリガがあるかどうかページングチャネルまたはブロードキャストチャネルを監視する（４８０）。報告期間中、ＭＴＣ  ＷＴＲＵ４０５は、ＭＴＣサーバ４３０との接続を確立して、関連情報を送信する（４８５）。ＭＴＣサーバ４３０は、更新された制御／報告情報を送信することができる。
【００５６】
図５に、Ｅ−ＵＴＲＡＮのケースでＭＴＣ  ＷＴＲＵ５０５がＭＴＣサーバ５３５にアタッチしてデータを報告する、ＭＴＣアーキテクチャ５００内での例示的な信号フローを示す。ＭＴＣアーキテクチャ５００は、ＭＴＣ  ＷＴＲＵ５０５、ＭＭＥ５１０、ＨＳＳ５１５、ＳＧＷ５２０、ＰＧＷ５２５、ＭＴＣ  ＤＴ−ＧＷ５３０、およびＭＴＣサーバ５３５を含む。
【００５７】
ＭＴＣ  ＷＴＲＵ５０５は、標準化されたプロシージャを使用して３ＧＰＰコアネットワークにアタッチする（５４０）。ＰＧＷ５２５は、ＰＤＮ接続を確立する（ＭＴＣサーバ５３５からの前の報告期間情報に基づいて）。ＭＴＣ  ＷＴＲＵ５０５は、ＩＰを介してＭＴＣサーバ５３５との接続を確立し、データを提供する（５４５）。ＭＴＣサーバ５３５は、新しい／更新された制御期間および報告期間の詳細を、ＭＴＣ  ＷＴＲＵ５０５に送信する（５５０）。ＭＴＣサーバ５３５は、更新された制御／報告期間（例えばＤＲＸまたはブロードキャストチャネル情報）を送信することができる。報告の完了後、ＭＴＣ  ＷＴＲＵ５０５は、アイドル／オフラインモードに入る（５５５）。ＭＴＣ  ＷＴＲＵ５０５は、ＲＲＣ接続をデタッチするかまたは解放する（５６０）。制御期間中、ＭＴＣ  ＷＴＲＵ５０５は、トリガがあるかどうかページングチャネルまたはブロードキャストチャネルを監視する（５６５）。報告期間中、ＭＴＣ  ＷＴＲＵ５０５は、ＭＴＣサーバ５３５との接続を確立して、関連情報を送信する（５７０）。ＭＴＣサーバ５３５は、更新された制御／報告情報を送信することができる。
【００５８】
図６に、ＵＴＲＡＮのケースでＭＴＣ  ＷＴＲＵ６０５がＭＴＣサーバ６３０にアタッチしてデータを報告する、ＭＴＣアーキテクチャ６００内での例示的な信号フローを示す。ＭＴＣアーキテクチャ６００は、ＭＴＣ  ＷＴＲＵ６０５、ＳＧＳＮ６１０、ＨＳＳ６１５、ＧＧＳＮ６２０、ＭＴＣ  ＤＴ−ＧＷ６２５、およびＭＴＣサーバ６３０を含む。ＭＴＣ  ＷＴＲＵ６０５は、標準化されたプロシージャを使用して３ＧＰＰコアネットワークにアタッチする（６３５）。ＧＧＳＮ６２０は、ＰＤＮ接続を確立する（ＭＴＣサーバ６３０からの前の報告期間情報に基づいて）。ＭＴＣ  ＷＴＲＵ６０５は、ＩＰを介してＭＴＣサーバ６３０との接続を確立し、データを提供する（６４０）。ＭＴＣサーバ６３０は、新しい／更新された制御期間および報告期間の詳細をＭＴＣ  ＷＴＲＵ６０５に送信する（６４５）。ＭＴＣサーバ６３０は、更新された制御／報告期間（例えばＤＲＸまたはブロードキャストチャネル情報）を送信することができる。報告の完了後、ＭＴＣ  ＷＴＲＵ６０５は、アイドル／オフラインモードに入る（６５０）。ＭＴＣ  ＷＴＲＵ６０５は、ＲＲＣ接続をデタッチするかまたは解放する。制御期間中、ＭＴＣ  ＷＴＲＵ６０５は、トリガがあるかどうかページングチャネルまたはブロードキャストチャネルを監視する（６６０）。報告期間中、ＭＴＣ  ＷＴＲＵ６０５は、ＭＴＣサーバ６３０との接続を確立して、関連情報を送信する（６６５）。ＭＴＣサーバ６３０は、更新された制御／報告情報を送信することができる。
【００５９】
図７に、ＭＴＣ  ＷＴＲＵ７０５が新しい位置エリアを検出する、ＭＴＣアーキテクチャ７００内での例示的な信号フローを示す。ＭＴＣアーキテクチャ７００は、ＭＴＣ  ＷＴＲＵ７０５、ＭＭＥ／ＳＧＳＮ７１０、ＨＳＳ７１５、ＰＧＷ／ＧＧＳＮ７２０、ＭＴＣ  ＤＴ−ＧＷ７２５、およびＭＴＣサーバ７３０を含む。ＭＴＣ  ＷＴＲＵ７０５は、制御期間に入り、新しい位置エリアを検出する（７３５）。ＭＴＣ  ＷＴＲＵ７０５は、制御期間インターバル中に新しい位置エリアを検出する。ＭＴＣ  ＷＴＲＵ７０５は、ネットワークにアタッチして、位置をＭＴＣサーバ７３０に報告するように構成される。ＭＴＣ  ＷＴＲＵ７０５は、アタッチ要求メッセージをＭＭＥ／ＳＧＳＮ７１０に送信する（７４０）。ＭＭＥ／ＳＧＳＮ７１０は、アタッチ受領メッセージをＭＴＣ  ＷＴＲＵ７０５に送信する（７４５）。ＭＴＣ  ＷＴＲＵ７０５は、トリガが送信されるとＭＴＣサーバ７３０に接続するように構成される（７５０）。ＭＴＣ  ＷＴＲＵ７０５は、ＩＰを介してＭＴＣサーバ７３０との接続を確立し、位置情報を提供する（７５５）。ＭＴＣサーバ７３０は、肯定応答（ＡＣＫ）をＭＴＣ  ＷＴＲＵ７０５に送信する（７６０）。ＭＴＣ  ＷＴＲＵ７０５は、デタッチ要求メッセージをＭＭＥ／ＳＧＳＮ７１０に送信する（７６５）。ＭＭＥ／ＳＧＳＮ７１０は、デタッチ受諾メッセージをＭＴＣ  ＷＴＲＵ７０５に送信する（７７０）。
【００６０】
第２の実施形態では、ＭＴＣサーバが、ＭＴＣｓｐインタフェースを介して制御／報告期間を提供する。この実施形態では、ＭＴＣサーバは、ＭＴＣ  ＷＴＲＵをトリガするときに、制御／報告期間をＭＴＣｓｐインタフェース内で含む。３ＧＰＰコアネットワーク（すなわち、ＨＳＳ／ＨＬＲ、またはＭＭＥ／ＳＧＳＮ）は、この情報をローカルに記憶し、ページングチャネルとブロードキャストチャネルのいずれかを介してこの情報をＭＴＣ  ＷＴＲＵに伝搬する。ＭＴＣ  ＷＴＲＵのトリガがページングチャネルを介して実施される（かつ最適化されたＤＲＸ周期が使用される）場合は、ＭＴＣサーバは、新しい／更新されたＤＲＸ周期をＭＴＣｓｐインタフェース内で含む。ＨＳＳ／ＨＬＲ、またはＭＭＥ／ＳＧＳＮは、この情報をローカルに記憶する。新しい周期は、アタッチ受諾／拒否、デタッチ受諾／拒否、またはＴＡ更新（ＴＡＵ）／ＲＡ更新（ＲＡＵ）受諾／拒否メッセージを介して、ＭＴＣ  ＷＴＲＵに送信されてよい。ＭＴＣ  ＷＴＲＵのトリガがブロードキャストチャネルを介して実施される場合は、制御／報告期間がＭＴＣｓｐインタフェースを介して送信される。制御／報告期間の詳細をＭＴＣ  ＷＴＲＵに提供する特定のブロードキャストチャネル（例えば新しいシステム情報ブロック（ＳＩＢ））を使用することができる。ＭＴＣ  ＷＴＲＵは、特定のＳＩＢを監視するように事前構成されてよい（例えば、Ｕ（ｕｎｉｖｅｒｓａｌ）ＳＩＭ（ｓｕｂｓｃｒｉｂｅｒ  ｉｄｅｎｔｉｔｙ  ｍｏｄｕｌｅ）Ｕ（ＳＩＭ）ＯＴＡ（ｏｖｅｒ−ｔｈｅ−ａｉｒ）またはＯＭＡ（Ｏｐｅｎ  Ｍｏｂｉｌｅ  Ａｌｌｉａｎｃｅ）ＤＭ（Ｄｅｖｉｃｅ  Ｍａｎａｇｅｍｅｎｔ）プロシージャを介して）。
【００６１】
図８に、Ｅ−ＵＴＲＡＮのケースでＭＴＣサーバ８３５が制御／報告インターバルをＭＴＣｓｐインタフェース内で提供する、ＭＴＣアーキテクチャ８００内での信号フローを示す。ＭＴＣアーキテクチャ８００は、ＭＴＣ  ＷＴＲＵ８０５、ＭＭＥ８１０、ＨＳＳ８１５、ＳＧＷ８２０、ＰＧＷ８２５、ＭＴＣ  ＤＴ−ＧＷ８３０、およびＭＴＣサーバ８３５を含む。ＭＴＣ  ＷＴＲＵ８０５は、制御期間に入り、ＭＴＣサーバ８３５からのトリガを待機する（８４０）。ページングチャネルが使用される場合は、ＭＴＣ  ＷＴＲＵ８０５は、制御期間がＤＲＸ周期と同じであるように構成される。ブロードキャストチャネルが使用される場合は、ＭＴＣ  ＷＴＲＵ８０５は、制御期間中にウェイクアップして、トリガ情報があるかどうかブロードキャストチャネルを監視する。ＭＴＣサーバ８３５は、ＭＴＣ  ＷＴＲＵ８０５をトリガする（ＭＴＣサーバ８３５は、ＭＴＣ  ＷＴＲＵ８０５の制御／報告周期を意識している）（８４５）。ページングチャネルを使用してＭＴＣ  ＷＴＲＵ８０５がトリガされる場合は、ＭＴＣサーバ８３５はＤＲＸ周期を意識している。ブロードキャストチャネルを使用してＭＴＣ  ＷＴＲＵ８０５がトリガされる場合は、ＭＴＣサーバ８３５はまた、どのブロードキャストチャネルをＭＴＣ  ＷＴＲＵ８０５が監視しているかも意識している（制御／報告周期に加えて）。ＭＴＣサーバ８３５は、ＭＴＣ  ＷＴＲＵ８０５をページングする（ＭＴＣ  ＤＴ−ＧＷ８３０を介して）（８５０）。ＭＴＣサーバ８３５は、制御／報告インターバルを要求の中に含めることができる。これは、例えばＭＴＣｓｐシグナリングを介して行うことができる。ページングチャネルが使用される場合は、ＤＲＸ周期が含められる。
【００６２】
ＭＭＥ８１０またはＨＳＳ８１５は、情報をローカルに記憶することができる（８５５）。ＭＭＥ８１０は、ページングチャネルとブロードキャストチャネルのいずれかを介して、ＭＴＣ  ＷＴＲＵ８０５をページングする（８６０）。ＭＴＣ  ＷＴＲＵ８０５は、アタッチ要求メッセージをＭＭＥ８１０に送信する（８６５）。ＭＭＥ８１０は、アタッチを確認する（８７０）。ＭＭＥ８１０は、更新された制御／報告インターバルをアタッチ確認メッセージ中で送信することができる。ページングチャネルを使用してＭＴＣ  ＷＴＲＵ８０５がトリガされる場合は、ＭＭＥ８１０は、更新されたＤＲＸ周期情報をアタッチ確認メッセージ中で送信することができる。通常のＰＤＮ確立プロシージャが実施されて、ＭＴＣ  ＷＴＲＵ８０５とＭＴＣサーバ８３５とが接続される（８７５）。ＭＴＣ  ＷＴＲＵ８０５は、ＭＴＣサーバ８３５に報告する。
【００６３】
報告の完了後、ＭＴＣ  ＷＴＲＵ８０５は、アイドル／オフラインモードに入る（８８０）。ＭＴＣ  ＷＴＲＵ８０５は、ＲＲＣ接続をデタッチするかまたは解放する（８８５）。ＭＭＥ８１０は、デタッチ受諾メッセージまたはＲＲＣ接続解放ＡＣＫ中で、更新された制御／報告インターバルを提供することができる（８９０）。ページングチャネルが使用される場合は、ＭＭＥ８１０は、デタッチ受諾メッセージまたはＲＲＣ接続解放受諾メッセージを介して、ＤＲＸ周期をＭＴＣ  ＷＴＲＵ８０５に報告することができる。制御期間中、ＭＴＣ  ＷＴＲＵ８０５は、トリガがあるかどうかページングチャネルまたはブロードキャストチャネルを監視する（８９２）。報告期間中、ＭＴＣ  ＷＴＲＵ８０５は、ＭＴＣサーバ８３５との接続を確立して、関連情報を送信する（８９４）。ＭＴＣサーバ８３５は、更新された制御／報告情報を送信することができる。
【００６４】
図９に、ＵＴＲＡＮのケースでＭＴＣサーバ９３０が制御／報告インターバルをＭＴＣｓｐインタフェース内で提供する、ＭＴＣアーキテクチャ９００内での例示的な信号フローを示す。ＭＴＣアーキテクチャ９００は、ＭＴＣ  ＷＴＲＵ９０５、ＳＧＳＮ９１０、ＨＳＳ９１５、ＧＧＳＮ９２０、ＭＴＣ  ＤＴ−ＧＷ９２５、およびＭＴＣサーバ９３０を含む。ＭＴＣ  ＷＴＲＵ９０５は、制御期間に入り、ＭＴＣサーバ９３０からのトリガを待機する（９３５）。ページングチャネルが使用される場合は、ＭＴＣ  ＷＴＲＵ９０５は、制御期間がＤＲＸ周期と同じであるように構成される。ブロードキャストチャネルが使用される場合は、ＭＴＣ  ＷＴＲＵ９０５は、制御期間中にウェイクアップして、トリガ情報があるかどうかブロードキャストチャネルを監視する。ＭＴＣサーバ９３０は、ＭＴＣ  ＷＴＲＵ９０５をトリガする（ＭＴＣサーバ９３０は、ＭＴＣ  ＷＴＲＵ９０５の制御／報告周期を意識している）（９４０）。ページングチャネルを使用してＭＴＣ  ＷＴＲＵ９０５がトリガされる場合は、ＭＴＣサーバ９３０はＤＲＸ周期を意識している。ブロードキャストチャネルを使用してＭＴＣ  ＷＴＲＵ９０５がトリガされる場合は、ＭＴＣサーバ９３０はまた、どのブロードキャストチャネルをＭＴＣ  ＷＴＲＵ９０５が監視しているかも意識している（制御／報告周期に加えて）。ＭＴＣサーバ９３０は、ＭＴＣ  ＷＴＲＵ９０５をページングする（ＭＴＣ  ＤＴ−ＧＷ９２５を介して）（９４５）。ＭＴＣサーバ９３０は、制御／報告インターバルを要求の中に含めることができる。これは、例えばＭＴＣｓｐシグナリングを介して行うことができる。ページングチャネルが使用される場合は、ＤＲＸ周期が含められる。ＳＧＳＮ９１０またはＨＳＳ９１５は、情報をローカルに記憶することができる（９５０）。
【００６５】
ＳＧＳＮ９１０は、ページングチャネルとブロードキャストチャネルのいずれかを介して、ＭＴＣ  ＷＴＲＵ９０５をページングする（９５５）。ＭＴＣ  ＷＴＲＵ９０５は、アタッチ要求メッセージをＳＧＳＮ９１０に送信する（９６０）。ＳＧＳＮ９１０は、アタッチを確認する（９６５）。ＳＧＳＮ９１０は、更新された制御／報告インターバルをアタッチ確認メッセージ中で送信することができる。ページングチャネルを使用してＭＴＣ  ＷＴＲＵ９０５がトリガされる場合は、ＳＧＳＮ９１０は、更新されたＤＲＸ周期情報をアタッチ確認メッセージ中で送信することができる。通常のＰＤＮ確立プロシージャが実施され、ＭＴＣ  ＷＴＲＵ９０５は、ＭＴＣサーバ９３０に接続して報告する（９７０）。
【００６６】
報告の完了後、ＭＴＣ  ＷＴＲＵ９０５は、アイドル／オフラインモードに入る（９７５）。ＭＴＣ  ＷＴＲＵ９０５は、ＲＲＣ接続をデタッチするかまたは解放する（９８０）。ＳＧＳＮ９１０は、デタッチ受諾メッセージまたはＲＲＣ接続解放ＡＣＫ中で、更新された制御／報告インターバルを提供することができる（９８５）。ページングチャネルが使用される場合は、ＳＧＳＮ９１０は、デタッチ受諾メッセージまたはＲＲＣ接続解放受諾メッセージを介して、ＤＲＸ周期をＭＴＣ  ＷＴＲＵ９０５に報告することができる。制御期間中、ＭＴＣ  ＷＴＲＵ９０５は、トリガがあるかどうかページングチャネルまたはブロードキャストチャネルを監視する（９９０）。報告期間中、ＭＴＣ  ＷＴＲＵ００５は、ＭＴＣサーバ９３０との接続を確立して、関連情報を送信する（９９５）。ＭＴＣサーバ９３０は、更新された制御／報告情報を送信することができる。
【００６７】
図１０に、ＭＴＣ  ＷＴＲＵ１００５が新しい位置エリアを検出する、ＭＴＣアーキテクチャ１０００内での信号フローを示す。ＭＴＣアーキテクチャ１０００は、ＭＴＣ  ＷＴＲＵ１００５、ＭＭＥ／ＳＧＳＮ１０１０、ＨＳＳ１０１５、ＰＧＷ／ＧＧＳＮ１０２０、ＭＴＣ  ＤＴ−ＧＷ１０２５、およびＭＴＣサーバ１０３０を含む。ＭＴＣ  ＷＴＲＵ１００５は、制御期間に入り、新しい位置エリアを検出する（すなわち、ＭＴＣ  ＷＴＲＵ１００５は、制御期間インターバル中に新しい位置エリアを検出する）（１０３５）。ＭＴＣ  ＷＴＲＵ１００５は、ネットワークにアタッチして、その位置をＭＭＥ／ＳＧＳＮ１０１０に報告するように構成される。ＭＴＣ  ＷＴＲＵ１００５は、アタッチ要求メッセージをＭＭＥ／ＳＧＳＮ１０１０に送信する（１０４０）。ＭＭＥ／ＳＧＳＮ１０１０は、アタッチ受諾メッセージをＭＴＣ  ＷＴＲＵ１００５に送信する（１０４５）。ＭＭＥ／ＳＧＳＮ１０１０は、情報をローカルに記憶することができる（１０５０）。ＭＴＣ  ＷＴＲＵ１００５は、デタッチ要求メッセージをＭＭＥ／ＳＧＳＮ１０１０に送信する（１０５５）。ＭＭＥ／ＳＧＳＮ１０１０は、デタッチ受諾メッセージをＭＴＣ  ＷＴＲＵ１００５に送信する（１０６０）。
【００６８】
第３の実施形態では、ＭＴＣ  ＷＴＲＵ／３ＧＰＰ  ＣＮが、制御／報告期間を構成する。この実施形態では、ＭＴＣサーバは、制御／報告期間の構成に関与しない。ＭＴＣ  ＷＴＲＵまたは３ＧＰＰ  ＣＮは、構成／報告期間を提供することができる。構成は、（Ｕ）ＳＩＭ  ＯＴＡまたはＯＭＡ  ＤＭプロシージャを介して、ＭＴＣ  ＷＴＲＵに搬送されてよい。ＭＴＣ  ＷＴＲＵは、ＴＡＵ／ＲＡＵ中に、またはネットワークにアタッチするときに（アタッチ要求時に）、その構成の詳細を送信する。あるいは、ＭＭＥ／ＳＧＳＮが、ＭＴＣ  ＷＴＲＵと通信するときに（例えばアタッチ受諾またはＴＡＵ／ＲＡＵ受諾またはアタッチ拒否のときに）、更新された制御／報告期間情報（および、どのブロードキャストチャネルを監視すべきかを示す情報）を送信することができる。ＭＴＣサーバは制御／報告期間を意識していないので、ＭＴＣサーバがトリガを送信するとき、ＭＭＥ／ＳＧＳＮは、ＭＴＣ  ＷＴＲＵがその制御期間に入るまで、要求をバッファに入れる。ＭＮＯは、ＤＲＸ周期を構成し、（Ｕ）ＳＩＭメッセージ、ＯＭＡ  ＤＭを介して、または、ＷＴＲＵとＭＭＥ／ＳＧＳＮとの間の他の任意の適用可能なシグナリングを介して、この情報を送信することができる。ブロードキャストチャネル実施形態については、ＭＴＣ  ＷＴＲＵは、（Ｕ）ＳＩＭ  ＯＴＡまたはＯＭＡ  ＤＭを介してブロードキャストチャネルを監視するように構成されてよい。ＭＭＥ／ＳＧＳＮは、ＷＴＲＵ  ＭＴＣ−ＭＭＥ／ＳＧＳＮシグナリングを介して、更新されたブロードキャストチャネル情報をＭＴＣ  ＷＴＲＵに示すことができる。
【００６９】
図１１に、Ｅ−ＵＴＲＡＮのケースでＭＴＣ  ＷＴＲＵ１１０５がＵ（ｕｎｉｖｅｒｓａｌ）ＳＩＭ（ｓｕｂｓｃｒｉｂｅｒ  ｉｄｅｎｔｉｔｙ  ｍｏｄｕｌｅ）ＯＴＡ（ｏｖｅｒ−ｔｈｅ−ａｉｒ）またはＯＭＡ  ＤＭ（ｄｅｌｅｇａｔｅｄ  ｍａｎａｇｅｍｅｎｔ）を介して制御報告期間によって構成される、ＭＴＣアーキテクチャ１１００内での例示的な信号フローを示す。ＭＴＣアーキテクチャ１１００は、ＭＴＣ  ＷＴＲＵ１１０５、ＭＭＥ１１１０、ＨＳＳ１１１５、ＳＧＷ１１２０、ＰＧＷ１１２５、ＭＴＣ  ＤＴ−ＧＷ１１３０、およびＭＴＣサーバ１１３５を含む。ＭＴＣ  ＷＴＲＵ１１０５は、特定の制御／報告インターバルによって事前構成され、報告期間に入る（１１４０）。ページングチャネルを使用してＭＴＣ  ＷＴＲＵ１１０５がトリガされる場合は、ＭＴＣ  ＷＴＲＵ１１０５は、制御期間についてＤＲＸ周期によって事前構成される。ＭＴＣ  ＷＴＲＵ１１０５は、アタッチ要求メッセージをＭＭＥ１１１０に送信する（１１４５）。ＭＴＣ  ＷＴＲＵ１１０５はまた、更新された制御／報告インターバルもＭＭＥ１１１０に送信することができる。ページングチャネルを使用してＭＴＣ  ＷＴＲＵ１１０５がトリガされる場合は、ＭＴＣ  ＷＴＲＵ１１０５は、ＤＲＸ周期をアタッチ要求メッセージ中に含める。ＭＭＥ１１１０は、情報をＨＳＳ１１１５に記憶することができる（１１５０）。ＭＭＥ１１１０は、アタッチを確認する（１１５５）。通常のＰＤＮ確立プロシージャが実施され、ＭＴＣ  ＷＴＲＵ１１０５は、ＭＴＣサーバ１１３５に接続して報告する（１１６０）。ＭＴＣサーバ１１３５は、ＭＴＣ  ＷＴＲＵ１１０５をトリガする（１１６５）。ＭＴＣサーバ１１３５は、ＭＴＣ  ＷＴＲＵ１１０５をページングする（ＭＴＣ  ＤＴ−ＧＷ１１３０を介して）（１１７０）。ＭＭＥ１１１０は、ＭＴＣ  ＷＴＲＵ１１０５の制御周期を待機する（１１７５）。ＭＭＥ１１１０は、ＭＴＣ  ＷＴＲＵ１１０５をページングする（１１８０）。ＭＴＣ  ＷＴＲＵ１１０５は、ネットワークにアタッチし、ＭＴＣサーバ１１３５に接続する（１１８５）。
【００７０】
図１２に、ＵＴＲＡＮのケースでＭＴＣ  ＷＴＲＵ１２０５が（Ｕ）ＳＩＭ  ＯＴＡまたはＯＭＡ  ＤＭを介して制御報告期間によって構成される、ＭＴＣアーキテクチャ１２００内での例示的な信号フローを示す。ＭＴＣアーキテクチャ１２００は、ＭＴＣ  ＷＴＲＵ１２０５、ＳＧＳＮ１２１０、ＨＳＳ１２１５、ＧＧＳＮ１２２０、ＭＴＣ  ＤＴ−ＧＷ１２２５、およびＭＴＣサーバ１２３０を含む。ＭＴＣ  ＷＴＲＵ１２０５は、特定の制御／報告インターバルによって事前構成され、報告期間に入る（１２３５）。ページングチャネルを使用してＭＴＣ  ＷＴＲＵ１２０５がトリガされる場合は、ＭＴＣ  ＷＴＲＵ１２０５は、制御期間についてＤＲＸ周期によって事前構成される。ＭＴＣ  ＷＴＲＵ１２０５は、ネットワーク、例えばＳＧＳＮ１２１０に、アタッチ要求メッセージを送信する（１２４０）。ＭＴＣ  ＷＴＲＵ１２０５はまた、更新された制御／報告インターバルもＳＧＳＮ１２１０に送信することができる。ページングチャネルを使用してＭＴＣ  ＷＴＲＵ１２０５がトリガされる場合は、ＭＴＣ  ＷＴＲＵ１２０５は、ＤＲＸ周期をアタッチ要求メッセージ中に含める。ＳＧＳＮ１２１０は、情報をＨＳＳ１２１５に記憶することができる（１２４５）。ＳＧＳＮ１２１０は、アタッチを確認する（１２５０）。通常のＰＤＮ確立プロシージャが実施され、ＭＴＣ  ＷＴＲＵ１２０５は、ＭＴＣサーバ１２３０に接続して報告する（１２５５）。ＭＴＣサーバ１２３０は、ＭＴＣ  ＷＴＲＵ１２０５をトリガする（１２６０）。ＭＴＣサーバ１２３５は、ＭＴＣ  ＷＴＲＵ１２０５をページングする（ＭＴＣ  ＤＴ−ＧＷ１２２５を介して）（１２６５）。ＳＧＳＮ１２１０は、ＭＴＣ  ＷＴＲＵ１２０５の制御周期を待機する（１２７０）。ＳＧＳＮ１２１０は、ＭＴＣ  ＷＴＲＵ１２０５をページングする（１２７５）。ＭＴＣ  ＷＴＲＵ１２０５は、ネットワークにアタッチし、ＭＴＣサーバ１２３５に接続する（１２８０）。
【００７１】
図１３に、Ｅ−ＵＴＲＡＮのケースでＭＴＣ  ＷＴＲＵ１３０５が３ＧＰＰ  ＣＮによって構成される、ＭＴＣアーキテクチャ１３００中での例示的な信号フローを示す。ＭＴＣアーキテクチャ１３００は、ＭＴＣ  ＷＴＲＵ１３０５、ＭＭＥ１３１０、ＨＳＳ１３１５、ＳＧＷ１３２０、ＰＧＷ１３２５、およびＭＴＣサーバ１３３０を含む。ＭＴＣ  ＷＴＲＵ１３０５は、特定の制御／報告インターバルによって事前構成され、報告期間に入る（１３３５）。ＭＴＣ  ＷＴＲＵ１３０５は３ＧＰＰコアネットワークによって先に構成されたと仮定する。ＭＴＣ  ＷＴＲＵ１３０５は、ネットワーク、例えばＭＭＥ１３１０に、アタッチ要求メッセージを送信する（１３４０）。ＭＭＥ１３１０は、ＨＳＳ１３１５に照会して、新しい制御／報告インターバルを得ることができる（１３４５）。ＨＳＳ１３１５は、要求された情報をＭＭＥ１３１０に提供する（１３５０）。ＭＭＥ１３１０は、アタッチを確認する（１３５５）。ＭＭＥ１３１０は、更新された制御／報告周期（例えば、ページングチャネルがトリガに使用される場合は、ＤＲＸ周期を含んでよい）を、アタッチ受諾メッセージ中で送信する。通常のＰＤＮ確立プロシージャが実施され、ＭＴＣ  ＷＴＲＵ１３０５は、ＭＴＣサーバ１３３０に接続して報告する（１３６０）。ＭＴＣサーバ１３３０は、ＭＴＣ  ＷＴＲＵ１３０５をトリガする（１３６５）。ＭＴＣサーバ１３３０は、ＭＴＣ  ＤＴ−ＧＷ１３２７を介してＭＴＣ  ＷＴＲＵ１３０５をページングする。ＭＭＥ１３１０は、ＭＴＣ  ＷＴＲＵ１３０５の制御周期を待機する（１３７５）。ＭＭＥ１３１０は、ＭＴＣ  ＷＴＲＵ１３０５をページングする（１３８０）。ＭＴＣ  ＷＴＲＵ１３０５は、ネットワークにアタッチし、ＭＴＣサーバ１３３０に接続する（１３８５）。
【００７２】
図１４に、ＵＴＲＡＮのケースでＭＴＣ  ＷＴＲＵ１４０５が３ＧＰＰ  ＣＮによって構成される、ＭＴＣアーキテクチャ１４００中での例示的な信号フローを示す。ＭＴＣアーキテクチャ１４００は、ＭＴＣ  ＷＴＲＵ１４０５、ＳＧＳＮ１４１０、ＨＳＳ１４１５、ＧＧＳＮ１４２０、ＭＴＣ  ＤＴ−ＧＷ１４２５、およびＭＴＣサーバ１４３０を含む。ＭＴＣ  ＷＴＲＵ１４０５は、特定の制御／報告インターバルによって事前構成され、報告期間に入る（１４３５）。ＭＴＣ  ＷＴＲＵ１４０５は３ＧＰＰコアネットワークによって先に構成されたと仮定する。ＭＴＣ  ＷＴＲＵ１４０５は、ネットワーク、例えばＳＧＳＮ１４１０に、アタッチ要求メッセージを送信する（１４４０）。ＳＧＳＮ１４１０は、ＨＳＳ１４１５に照会して、新しい制御／報告インターバルを得ることができる（１４４５）。ＨＳＳ１４１５は、要求された情報をＳＧＳＮ１４１０に提供する（１４５０）。ＳＧＳＮ１４１０は、アタッチを確認する（１４５５）。ＳＧＳＮ１４１０は、更新された制御／報告周期（例えば、ページングチャネルがトリガに使用される場合は、ＤＲＸ周期を含んでよい）を、アタッチ受諾メッセージ中で送信する。通常のＰＤＮ確立プロシージャが実施され、ＭＴＣ  ＷＴＲＵ１４０５は、ＭＴＣサーバ１４３０に接続して報告する（１４６０）。ＭＴＣサーバ１４３０は、ＭＴＣ  ＷＴＲＵ１４０５をトリガする（１４６５）。ＭＴＣサーバ１４３０は、ＭＴＣ  ＷＴＲＵ１４０５をページングする（ＭＴＣ  ＤＴ−ＧＷ１４２５を介して）（１４７０）。ＳＧＳＮ１４１０は、ＭＴＣ  ＷＴＲＵ１４０５の制御周期を待機する（１４７５）。ＳＧＳＮ１４１０は、ＭＴＣ  ＷＴＲＵ１４０５をページングする（１４８０）。ＭＴＣ  ＷＴＲＵ１４０５は、ネットワークにアタッチし、ＭＴＣサーバ１４３０に接続する（１４８５）。
【００７３】
（実施形態）
１．マシンタイプ通信（ＭＴＣ）ワイヤレス送受信ユニット（ＷＴＲＵ）をトリガして同期させる方法であって、報告周期を提供することを含み、ＭＴＣ  ＷＴＲＵは所与のインターバルでネットワークにアタッチしてデータを報告する、方法。
【００７４】
２．制御周期を提供することをさらに含み、ＭＴＣ  ＷＴＲＵは、トリガされたイベント時にネットワークにアタッチする、実施形態１の方法。
【００７５】
３．アプリケーションレイヤ、デバイストリガゲートウェイ／ＭＴＣサーバインタフェース、ＭＴＣ構成のうちの少なくとも１つを使用して、ＭＴＣ  ＷＴＲＵとネットワークとの間で報告周期および制御周期を通信することをさらに含む、上記実施形態のいずれかの方法。
【００７６】
４．デバイストリガゲートウェイ／ＭＴＣサーバインタフェースを介してトリガを受信することをさらに含む、上記実施形態のいずれかの方法。
【００７７】
５．新しい報告周期および制御周期ならびに更新された報告周期および制御周期のうちの少なくとも１つが、デバイストリガゲートウェイ／ＭＴＣサーバインタフェースを介して受信される、上記実施形態のいずれかの方法。
【００７８】
６．少なくとも１つの制御周期および少なくとも１つの報告周期を示す情報が、アイドル／オフラインモードに入る前に、ＭＴＣ  ＷＴＲＵによって得られる、上記実施形態のいずれかの方法。
【００７９】
７．ＭＴＣ  ＷＴＲＵはページングチャネル上とブロードキャストチャネル上とのうちの少なくとも一方でトリガ情報があるかどうか監視する、上記実施形態のいずれかの方法。
【００８０】
８．制御期間は間欠受信（ＤＲＸ）周期と同じである、上記実施形態のいずれかの方法。
【００８１】
９．ＭＴＣ  ＷＴＲＵは制御周期について間欠受信（ＤＲＸ）周期によって事前構成された、上記実施形態のいずれかの方法。
【００８２】
１０．ＭＴＣ  ＷＴＲＵは、トラッキング／ルーティングエリア更新メッセージとアタッチ／デタッチ要求メッセージとのうちの少なくとも一方の中に間欠受信（ＤＲＸ）周期を含める、上記実施形態のいずれかの方法。
【００８３】
１１．新しい制御／報告周期情報および更新された制御／報告周期情報のうちの少なくとも１つを含む、アタッチ受諾／拒否メッセージ、デタッチ受諾／拒否メッセージ、トラッキングエリア更新／ルーティングエリア更新受諾／拒否メッセージのうちの少なくとも１つを受信することをさらに含む、上記実施形態のいずれかの方法。
【００８４】
１２．情報は位置情報を含む、上記実施形態のいずれかの方法。
【００８５】
１３．ネットワークは報告周期情報および制御周期情報をローカルに記憶する、上記実施形態のいずれかの方法。
【００８６】
１４．ＭＴＣ  ＷＴＲＵは、ネットワークによって事前構成された制御周期および事前構成された報告周期を有する、上記実施形態のいずれかの方法。
【００８７】
１５．マシンタイプ通信（ＭＴＣ）ワイヤレス送受信ユニット（ＷＴＲＵ）をトリガして同期させる方法であって、ＭＴＣサーバに接続することを含む方法。
【００８８】
１６．ＭＴＣサーバにデータを送信することをさらに含む、上記実施形態のいずれかの方法。
【００８９】
１７．ＭＴＣサーバから情報を受信することをさらに含む、上記実施形態のいずれかの方法。
【００９０】
１８．アイドル／オフラインモードに入ることをさらに含む、上記実施形態のいずれかの方法。
【００９１】
１９．ＭＴＣサーバから切断することをさらに含む、上記実施形態のいずれかの方法。
【００９２】
２０．トリガ情報があるかどうか監視することをさらに含む、上記実施形態のいずれかの方法。
【００９３】
２１．マシンタイプ通信（ＭＴＣ）ワイヤレス送受信ユニット（ＷＴＲＵ）をトリガして同期させる方法であって、ＭＴＣ  ＷＴＲＵを制御周期および報告周期によって構成することを含む方法。
【００９４】
２２．報告期間に入ることをさらに含む、上記実施形態のいずれかの方法。
【００９５】
２３．アタッチ要求メッセージを送信することをさらに含む、上記実施形態のいずれかの方法。
【００９６】
２４．アタッチ要求メッセージに応答してアタッチ受諾メッセージを受信することをさらに含む、上記実施形態のいずれかの方法。
【００９７】
２５．ＭＴＣ  ＷＴＲＵの制御周期中にページを受信することをさらに含む、上記実施形態のいずれかの方法。
【００９８】
２６．報告周期中にＭＴＣサーバに接続して情報を報告することをさらに含む、上記実施形態のいずれかの方法。
【００９９】
２７．ＭＴＣ（ｍｏｂｉｌｅ  ｔｅｒｍｉｎａｔｅｄ  ｃａｌｌ）ワイヤレス送受信ユニット（ＷＴＲＵ）をトリガして同期させる方法であって、ＭＴＣサーバに接続することを含む方法。
【０１００】
２８．ＭＴＣサーバにデータを送信することをさらに含む、上記実施形態のいずれかの方法。
【０１０１】
２９．ＭＴＣサーバから情報を受信することをさらに含む、上記実施形態のいずれかの方法。
【０１０２】
３０．アイドル／オフラインモードに入ることをさらに含む、上記実施形態のいずれかの方法。
【０１０３】
３１．ＭＴＣサーバから切断することをさらに含む、上記実施形態のいずれかの方法。
【０１０４】
３２．トリガ情報があるかどうか監視することをさらに含む、上記実施形態のいずれかの方法。
【０１０５】
３３．ＭＴＣサーバへの接続が、制御期間に入ってページを受信するのに応答して実施される、上記実施形態のいずれかの方法。
【０１０６】
３４．ページングチャネルを使用してＭＴＣ  ＷＴＲＵがトリガされるという条件で、ＭＴＣ  ＷＴＲＵは、制御期間が間欠受信（ＤＲＸ）周期と同じであるように構成される、上記実施形態のいずれかの方法。
【０１０７】
３５．ブロードキャストチャネルを使用してＭＴＣ  ＷＴＲＵがトリガされるという条件で、ＭＴＣ  ＷＴＲＵは、制御期間中にウェイクアップして、トリガ情報があるかどうかブロードキャストチャネルを監視する、上記実施形態のいずれかの方法。
【０１０８】
３６．ページはページングチャネルを介して受信される、上記実施形態のいずれかの方法。
【０１０９】
３７．ページはブロードキャストチャネルを介して受信される、上記実施形態のいずれかの方法。
【０１１０】
３８．トリガがあるかどうかページングチャネルが監視される、上記実施形態のいずれかの方法。
【０１１１】
３９．トリガがあるかどうかブロードキャストチャネルが監視される、上記実施形態のいずれかの方法。
【０１１２】
４０．情報は、新しい制御期間および報告期間を示す、上記実施形態のいずれかの方法。
【０１１３】
４１．情報は、更新された制御期間および報告期間を示す、上記実施形態のいずれかの方法。
【０１１４】
４２．ＭＴＣ  ＷＴＲＵは、情報によって示される報告期間中にＭＴＣサーバとの接続を確立する、上記実施形態のいずれかの方法。
【０１１５】
４３．ＭＴＣ  ＷＴＲＵは、情報によって示される制御期間中に監視を実施する、上記実施形態のいずれかの方法。
【０１１６】
４４．ページングチャネルを使用してＭＴＣ  ＷＴＲＵがトリガされるという条件で、ＭＴＣサーバは間欠受信（ＤＲＸ）周期を意識している、上記実施形態のいずれかの方法。
【０１１７】
４５．ブロードキャストチャネルを使用してＭＴＣ  ＷＴＲＵがトリガされるという条件で、ＭＴＣサーバは、どのブロードキャストチャネルをＭＴＣ  ＷＴＲＵが監視するかを意識している、上記実施形態のいずれかの方法。
【０１１８】
４６．ＭＴＣ（ｍｏｂｉｌｅ  ｔｅｒｍｉｎａｔｅｄ  ｃａｌｌ）ワイヤレス送受信ユニット（ＷＴＲＵ）をトリガして同期させる方法であって、ＭＴＣ  ＷＴＲＵを特定の制御期間情報および報告期間情報によって構成することを含む方法。
【０１１９】
４７．報告期間に入ることをさらに含む、上記実施形態のいずれかの方法。
【０１２０】
４８．アタッチ要求メッセージを送信することをさらに含む、上記実施形態のいずれかの方法。
【０１２１】
４９．アタッチ要求メッセージに応答してアタッチ受諾メッセージを受信することをさらに含む、上記実施形態のいずれかの方法。
【０１２２】
５０．ＭＴＣ  ＷＴＲＵの制御周期中にページを受信することをさらに含む、上記実施形態のいずれかの方法。
【０１２３】
５１．ＭＴＣサーバに接続して情報を報告することをさらに含む、上記実施形態のいずれかの方法。
【０１２４】
５２．ページングチャネルを使用してＭＴＣ  ＷＴＲＵがトリガされるという条件で、ＭＴＣ  ＷＴＲＵは制御期間について間欠受信（ＤＲＸ）周期によって事前構成される、上記実施形態のいずれかの方法。
【０１２５】
５３．ページングチャネルを使用してＭＴＣ  ＷＴＲＵがトリガされるという条件で、ＭＴＣ  ＷＴＲＵはアタッチ要求メッセージ中に間欠受信（ＤＲＸ）周期を含める、上記実施形態のいずれかの方法。
【０１２６】
５４．アタッチ受諾メッセージは、更新された制御／報告周期情報を含む、上記実施形態のいずれかの方法。
【０１２７】
５５．ページングチャネルを使用してＭＴＣ  ＷＴＲＵがトリガされるという条件で、アタッチ受諾メッセージは間欠受信（ＤＲＸ）周期を含む、上記実施形態のいずれかの方法。
【０１２８】
５６．実施形態１〜５５のいずれか１つにおける方法を実施するように構成されたネットワークアーキテクチャ。
【０１２９】
５７．上記に指定された方法のいずれか１つを実施するように構成されたワイヤレス送受信ユニット（ＷＴＲＵ）を備える装置。
【０１３０】
５８．ＷＴＲＵによって実行されたときに、上記に指定された方法のいずれか１つをＷＴＲＵに実施させる命令が記憶された、コンピュータ可読媒体。
【０１３１】
５９．実施形態１〜５５のいずれか１つの方法を実施するように構成されたワイヤレス送受信ユニット（ＷＴＲＵ）。
【０１３２】
６０．送受信機をさらに備える、実施形態５９におけるＷＴＲＵ。
【０１３３】
６１．送受信機と通信するプロセッサをさらに備える、実施形態５９〜６０のいずれか１つにおけるＷＴＲＵ。
【０１３４】
６２．プロセッサが実施形態１〜５５のいずれか１つの方法を実施するように構成された、実施形態５９〜６１のいずれか１つにおけるＷＴＲＵ。
【０１３５】
６３．実施形態１〜５５のいずれか１つの方法を実施するように構成されたネットワークノード。
【０１３６】
６４．実施形態１〜５５のいずれか１つの方法を実施するように構成されたＮｏｄｅ−Ｂ。
【０１３７】
６５．実施形態１〜５５のいずれか１つの方法を実施するように構成された集積回路。
【０１３８】
以上では特徴および要素を特定の組合せで述べているが、各特徴または要素を単独で、または他の特徴および要素のいずれかと組み合わせて使用してもよいことを当業者なら理解するであろう。加えて、本明細書に述べた実施形態は、コンピュータまたはプロセッサによって実行されるようにコンピュータ可読媒体に組み込まれた、コンピュータプログラム、ソフトウェア、またはファームウェアにおいて実現することができる。コンピュータ可読媒体の例は、電子信号（有線またはワイヤレス接続を介して伝送される）、およびコンピュータ可読記憶媒体を含む。コンピュータ可読記憶媒体の例は、読取専用メモリ（ＲＯＭ）、ランダムアクセスメモリ（ＲＡＭ）、レジスタ、キャッシュメモリ、半導体メモリデバイス、磁気媒体（例えば内蔵ハードディスクや取外し可能ディスク）、光磁気媒体、および、コンパクトディスク（ＣＤ）やディジタル多用途ディスク（ＤＶＤ）などの光媒体を含むが、これらに限定されない。ＷＴＲＵ、ＵＥ、端末、基地局、Ｎｏｄｅ−Ｂ、ｅＮＢ、ＨＮＢ、ＨｅＮＢ、ＡＰ、ＲＮＣ、ワイヤレスルータ、または任意のホストコンピュータ中で使用される、無線周波数送受信機を、ソフトウェアとの関連でプロセッサを使用して実現することができる。
【図１】
2015164359.tif 000003
【図２Ａ】
2015164359.tif 000004
【図２Ｂ】
2015164359.tif 000005
【図２Ｃ】
2015164359.tif 000006
【図３】
2015164359.tif 000007
【図４】
2015164359.tif 000008
【図５】
2015164359.tif 000009
【図６】
2015164359.tif 000010
【図７】
2015164359.tif 000011
【図８】
2015164359.tif 000012
【図９】
2015164359.tif 000013
【図１０】
2015164359.tif 000014
【図１１】
2015164359.tif 000015
【図１２】
2015164359.tif 000016
【図１３】
2015164359.tif 000017
【図１４】
2015164359.tif 000018